(57)【特許請求の範囲】
【請求項１】
異なるネットワーク間における相互接続を通じて接続を設定する方法であって、前記接続が前記相互接続、第１部分、および第２部分を含み、前記方法が、
−第１のステップであって、第１ネットワーク内に位置する第１ネットワーク・ユニットを通じて、前記接続の第１部分を、第１加入者局から第１モジュールまで第１情報に基づいて設定する第１ステップと、
−前記第１ネットワーク内に位置するまたはこれに接続されている前記第１モジュールが前記第１情報を受信するステップであって、前記第１情報が、前記第１加入者局の第１識別子の少なくとも一部と発呼される第２加入者局の第２識別子の少なくとも一部とを備えるステップと、
−前記第１モジュールが、前記第１情報を受信したことに応答して、前記第１モジュールから第２ネットワーク内にあるまたはこれに接続されている第２モジュールに第２情報を送る第２ステップであって、前記第２情報が、前記第２ネットワークから前記第１ネットワークまで前記相互接続を設定するための命令を有する、第２ステップと、
−前記第２モジュールが、前記第２情報を受信したことに応答して、前記相互接続を、前記第２ネットワークから前記第１ネットワークまで、前記第２情報に基づいて前記第１ネットワーク・ユニットを通じて設定して、前記相互接続を前記接続の第１部分に結合する第３ステップであって、当該相互接続の設定により、少なくとも前記相互接続の課金制御を前記第１ネットワークの外側で行わせる、第３ステップと、
−前記第２ネットワークにおいて、前記第２加入者局までの前記接続の第２部分を、前記第２情報に基づいて設定するステップと、
−前記第２部分を前記相互接続に結合する第４ステップと、
を備えており、
−前記第２情報が、前記第１情報の受信に応答して、前記第１モジュールによって決定される相関ＩＤを備えており、
−前記相関ＩＤが、前記相互接続の設定中に、前記第２ネットワークから前記第１ネットワークに返送され、
−前記返送された相関ＩＤを分析して、その結果前記相互接続を前記接続の第１部分に結合するように構成される、方法。
【請求項２】
請求項１記載の方法であって、
−前記第２ステップにおいて、前記第１モジュールが前記第１情報を受信したことに応答して、前記第１ネットワークから前記第２ネットワークに一時的呼行程を設定するステップと、
−前記第３ステップにおいて、前記第２ネットワークにおいて前記一時的呼行程を解除するステップと、
を備える方法。
【請求項３】
請求項２記載の方法において、
−前記第２情報は、前記一時的呼行程の設定の間に、前記第２モジュールに送られる、方法。
【請求項４】
請求項１〜３のいずれか１つに記載の方法において、
−前記第２情報は、第２加入者局の第２識別子を備えており、この第２識別子は、前記第１情報に含まれる前記第２加入者局の第２識別子とは異なり、前記第１モジュールは、前記受信した第１情報に基づいて、前記第２情報に含まれる前記第２識別子を決定する、方法。
【請求項５】
請求項１〜４のいずれか１つに記載の方法において、
−前記相関ＩＤが、前記第２情報を前記第２モジュールに導くために、前記第２ネットワークによって任意に用いることができる、方法。
【請求項６】
異なるネットワーク間における相互接続を通じて接続を設定するための第２ネットワークについての第２モジュールであって、
−第１ネットワークにおける第１モジュールからまたは第３ネットワークにおける第３モジュールから第２情報を受信する第２受信機であって、前記第２情報が、少なくとも前記相互接続の課金制御が前記第１ネットワークの外部で行われるように定め、更に前記接続の少なくとも第２部分を定める、第２受信機と、
−前記第２情報の受信に応答して、前記第２ネットワーク内部における前記接続の第２部分を設定する設定命令を送る第２送信機であって、前記接続が、第１部分、前記相互接続、および前記第２部分を備えており、前記接続の第１部分が前記第１ネットワーク内に位置する、第２送信機と、
を備えている、第２モジュール。
【請求項７】
異なるネットワーク間における相互接続を通じて接続を設定するための第２ネットワークについての第２下位方法であって、
−第１ネットワークにおける第１モジュールからまたは第３ネットワークにおける第３モジュールから第２情報を受信するステップであって、前記第２情報が、少なくとも前記相互接続の課金制御が前記第１ネットワークの外部で行われるように定め、更に前記接続の少なくとも第２部分を定める、ステップと、
−前記第２情報の受信に応答して、前記第２ネットワーク内部における前記接続の第２部分を設定する設定命令を送るステップであって、前記接続が、第１部分、前記相互接続、および前記第２部分を備えており、前記接続の第１部分が前記第１ネットワーク内に位置する、ステップと、
を備えている、第２下位方法。
【請求項８】
異なるネットワーク間における相互接続を通じて接続を設定するための第３ネットワークの第３モジュールであって、
−第１ネットワークから第３情報を受信する第３受信機と、
−前記第３情報の受信に応答して、第２ネットワークにおける第２モジュールに第２情報を送る第３送信機であって、前記第２情報が、少なくとも前記相互接続の課金制御が前記第１ネットワークの外部で行われるように定め、更に前記接続の少なくとも第２部分を定め、前記接続の第２部分が、前記第２ネットワーク内に位置し、前記接続の第１部分が前記第１ネットワーク内に位置し、前記接続が、前記第１部分、前記相互接続、および前記第２部分を備えている、第３送信機と、
を備えている、第３モジュール。
【請求項９】
異なるネットワーク間における相互接続を通じて接続を設定するための第３ネットワークについての第３下位方法であって、
−第１ネットワークから第３情報を受信するステップと、
−前記第３情報の受信に応答して、第２ネットワークにおける第２モジュールに第２情報を送るステップであって、前記第２情報が、少なくとも前記相互接続の課金制御が前記第１ネットワークの外部で行われるように定め、更に前記接続の少なくとも第２部分を定め、前記接続の第２部分が、前記第２ネットワーク内に位置し、前記接続の第１部分が前記第１ネットワーク内に位置し、前記接続が、前記第１部分、前記相互接続、および前記第２部分を備えている、ステップと、
を備えている、第３下位方法。
【請求項１０】
請求項６または８記載のモジュールを備えているシステム。
【発明の詳細な説明】
【技術分野】
【０００１】
本発明は、異なるネットワーク間における相互接続を通じて接続を設定する方法に関し、更に、第１ネットワークのための第１モジュール、第１ネットワークのための第１下位方法(sub-method)、第２ネットワークのための第２モジュール、第２ネットワークのための第２下位方法、第３ネットワークのための第３モジュール、第３ネットワークのための第３下位方法、およびモジュールを備える構成に関する。
【従来技術】
【０００２】
このような異なるネットワークの例には、公衆固定ネットワークおよびその他の種類の公衆またはプライベート・ネットワークのような第１ネットワーク、公衆移動体ネットワークおよびその他の種類の公衆またはプライベート・ネットワークのような第２ネットワーク、ならびに個人固定ネットワークおよびその他の種類の公衆またはプライベート・ネットワークのような第３ネットワークがある。このような構成の例には、ネットワーク、および交換局、サーバ、交換機、ルータ、転送機、マルチプレクサ、およびその他のネットワーク・ユニットのような、その一部がある。
【０００３】
先行技術の方法は、一般に知られている。第１ネットワークにおける第１加入者から第２ネットワークにおける第２加入者に「通常」発呼を設定するためには、第１加入者は第２加入者の電話番号をダイアルし、それに応答して、第１ネットワークが、第１加入者からの「通常」発呼の一部を、第１および第２ネットワーク間の境界まで設定し、第２ネットワークは、この「通常」発呼の別の一部を、第１および第２ネットワーク間の境界から第２加入者まで設定する。第２加入者がこの「通常」発呼を受け入れると直ちに、第１および第２加入者は互いに通信を開始することができる。この呼の料金は、第１加入者に課金される。
【０００４】
通信の料金を第２加入者に課金するためには、「折り返し」発呼(call-back call)を設定しなければならない。このためには、第２加入者は第１加入者からの「通常」発呼を受け入れず、「通常」発呼は、第１加入者が通信したいことを第２加入者に伝えるためだけに用いられる。「折り返し」発呼を設定するには、第２加入者は、第１加入者が「通常」発呼を中止し、次いで第１加入者の電話番号をダイアルし、これに応答して、第２ネットワークが第２加入者から第１および第２ネットワークの間にある境界までの「折り返し」発呼の部分を設定し、第１ネットワークが第１および第２ネットワークの間にある境界から第１加入者までの「折り返し」発呼の部分を設定するまで待つ。第１加入者が「折り返し」発呼を受け入れると直ちに、第１および第２加入者は互いに通信を開始することができる。この呼の料金は、第２加入者に課金される。
【０００５】
先行技術には、とりわけ、第１加入者が「通常」発呼を開始し次いで「通常」発呼を中止した後でないと、第１加入者は第２加入者からの「折り返し」発呼を受け入れることができないという欠点がある。
【発明の概要】
【発明が解決しようとする課題】
【０００６】
本発明の目的は、とりわけ、第１ネットワークにおける第１加入者から第２ネットワークにおける第２加入者への発呼を、異なるネットワーク間にある相互接続を通じて設定することにより、別個の「通常」接続および「折り返し」接続を設定する必要なく、（主に）第２加入者に接続の料金を課金するための改良した方法を提供することである。
【０００７】
本発明の更に別の目的は、とりわけ、第１ネットワークのための第１モジュール、第１ネットワークのための第１下位方法、第２ネットワークのための第２モジュール、第２ネットワークのための第２下位方法、第３ネットワークのための第３モジュール、第３ネットワークのための第３下位方法、およびモジュールを備える構成を提供することである。
【課題を解決するための手段】
【０００８】
本発明の第１の態様によれば、請求項１に定義する方法を提供する。
異なるネットワーク（１、２）間における相互接続を通じて接続を設定する方法であって、本方法は、第１ネットワーク（１）内に位置する第１ネットワーク・ユニット（１１）を通じて、第１加入者局から少なくとも第１ネットワーク・ユニット（１１）までの、接続の第１部分を設定するステップを備えており、
−第１ネットワーク内に位置するまたはこれに接続されている第１モジュールが第１情報を受信し、
−第１情報が、第１加入者局の第１識別子の少なくとも一部と、発呼される第２加入者局の第２識別子の少なくとも一部とを備えており、接続の第１部分を少なくとも第１ネットワーク・ユニットまで設定させ、
−第１モジュール（１２）が第１情報を受信したことに応答して、第１モジュール（１２）から、第２ネットワーク（２）内にあるまたはこれに接続されている第２モジュール（２２）に情報を送る第２ステップであって、第２情報が、第２ネットワークから第１ネットワークまで相互接続を設定することにより、少なくとも相互接続の課金制御を、第１ネットワークの外側で行わせる命令を備えている、第２ステップと、
−第２モジュール（２２）が第２情報を受信したことに応答して、相互接続を設定する第３ステップであって、相互接続を、第２ネットワーク（２）から第１ネットワーク（１）まで、第１ネットワーク・ユニットを通じて設定し、接続の第１部分に相互接続を接続する、第３ステップと、
−第２ネットワーク（２）において、第２加入者局までの接続の第２部分を設定し、
−接続の第２部分を相互接続まで接続する第４ステップと、
を備えている。
【０００９】
接続の第１部分は、第１ネットワーク・ユニット（１１）または、第１モジュール（１２）のような別のユニットにおいて終端することができる。後者の場合、接続の第１部分は、第１ネットワーク・ユニット（１１）を通じて設定されることになる。
【００１０】
以下の２つの実施形態によって例示されるように、第２情報の第２モジュール（２２）への送信は、一時的呼行程を設定する、通常の一時的発呼試行を実行するプロセスにおいて行うことができる。この一時的発呼試行は、第１モジュールによって開始され、第１ネットワーク・ユニットによって、通常の発呼試行とは変わらずに扱われる。
【００１１】
前述の方法の一実施形態を請求項２に規定する。
好ましくは、第２ステップにおいて、第１モジュール（１２）が第１情報を受信したことに応答して、第１ネットワーク（１）から第２ネットワーク（２）に一時的呼行程を設定し（一時的発呼試行）、
−第３ステップにおいて、第２ネットワーク（２）において一時的呼行程を解除する。
【００１２】
前述の方法の一実施形態を請求項３に規定する。
好ましくは、第２情報は、一時的呼行程の設定の間に、第２モジュール（２２）に送られる。
【００１３】
前述の方法の一実施形態を請求項４に規定する。
好ましくは、第２情報は、第２加入者局の第２識別子を備えており、この第２識別子は、第１情報に含まれる第２加入者局の第２識別子とは異なり、第１モジュール（１２）は、受信した第１情報に基づいて、第２情報に含まれる第２識別子を決定する。
【００１４】
前述の方法の一実施形態を請求項５に規定する。
好ましくは、第２情報は、第１情報の受信に応答して、モジュール（１２）によって決定される相関ＩＤを備えており、
−これにより(whereby)、相関ＩＤは、第２情報を第２モジュール（２２）に導くために、第２ネットワークによって任意に用いることができ、
−これにより、相関ＩＤは、相互接続の設定中に、第２ネットワークから第１ネットワークに返送され、
−これにより、返送された相関ＩＤを分析して、その結果相互接続を接続の第１部分に接続する。
【００１５】
本発明の第２の態様によれば、請求項６に規定する方法を提供する。
例えば公衆固定ネットワークのような第１ネットワークにおいて（第１ステップ）、第１情報を受信する。第１情報は、第１ネットワーク内における接続の少なくとも第１部分を定める。第１情報は、例えば、第１ネットワーク・ユニットに達し、例えば、恐らくは更に別のネットワーク・ユニットを通じて第１加入者局から発信し、例えば、接続を開始した第１加入者局の第１識別子の少なくとも一部と、発呼される第２加入者局の第２識別子の少なくとも一部とを備えている。第１の選択肢によれば、第２加入者局の第２識別子は、この第２識別子が、更に、少なくとも相互接続の課金制御を第１ネットワークによって行うのではなく、別のネットワークにおいて行うことを定めるようにしている。これを実現する可能な方法の１つは、第２加入者局に２つの電話番号、「通常」接続を通じて通話するための番号と、「折り返し」接続を通じて通話するための別の番号とを与えることであるが、他の選択肢も排除しない。第２の選択肢によれば、第２加入者局の第２識別子は「通常」識別子であり、これによって、第１ネットワーク内または付近において、「通常」識別子を「折り返し」識別子に変換するために、変換を行う。これを実現する可能な方法の１つは、第１ネットワーク内または付近にデータベースを導入し、例えば、ユーザのセッティング（ユーザの好み等のような）またはその他のパラメータ（時刻、日付等のようなパラメータ）に応じて、変換を行うことであるが、他の選択肢も除外した訳ではない。接続の第１部分は、例えば、第１加入者局と第１ネットワーク・ユニットとの間、または更に別の第１ネットワーク・ユニットと第１ネットワーク・ユニットとの間における第１行程である。第１ネットワーク・ユニットが第１情報を受信する前、第１ネットワーク・ユニットが第１情報を受信している間、または第１ネットワーク・ユニットが第１情報を受信した後に、接続の第１部分を例えば設定し、例えば開放したままにする。他の選択肢も除外した訳ではない。
【００１６】
第１情報の受信に応答して（第２ステップ）、例えば、第２移動体ネットワークのような第２ネットワークに第２情報を送る。第２情報は、少なくとも相互接続の課金制御が第１ネットワークの外部で行われるように定め、更に接続の少なくとも第２部分を定める。第２情報は、例えば、第１モジュールを備えているときは、第１ネットワーク・ユニットから発信し、あるいは第１ネットワーク・ユニットに結合されているときは、例えば、第１モジュールから発信し、第１情報と同一であってもよく、あるいは第１情報と部分的または全体的に異なってもよい。第２情報は、例えば、第１加入者局の第１識別子の少なくとも一部を備えており、または、例えば、第1加入者局のこの第1識別子しへのリンクを備えており、あるいは、例えば、第１情報へのリンクを備えており、更に第２加入者局の第２識別子の少なくとも一部を備えている（第２識別子は、更に、以前に述べたリンクの１つ以上としても用いることができる）。第２加入者局の第２識別子は、第２識別子が、更に、少なくとも相互接続の課金制御を第１ネットワークによって行うのではなく、別のネットワークによって行うことを定めるようにしても、しなくてもよい。
【００１７】
第２ネットワークにおいて（第３ステップ）、第２情報の受信に応答して、第２ネットワーク内における接続の第２部分を設定する。第２情報は、第２モジュールを備えているときには、例えば、第２ネットワークに到達し、あるいは第２ネットワーク・ユニットに結合されているときには、例えば、第２モジュールに到達する。接続の第２部分は、例えば、第２ネットワーク・ユニットと第２加入者局との間、または第２ネットワークと、第２加入者局が通信する際に経由することができる更に別の第２ネットワーク・ユニットとの間における第２行程である。接続は、第１部分、相互接続、および第２部分を備えている。相互接続は、例えば、第２ネットワーク・ユニットと第１ネットワーク・ユニットとの間にある相互接続行程であり、第２部分と第１部分との間に結合部を形成し、第１および第２加入者局が通信できるようにする。第１部分、相互接続、および第２部分の設定は、この特定の順序または他の順列にしたがって行えばよい。
【００１８】
このように、「折り返し」発呼に先だって「通常」発呼を必要とせずに、この「折り返し」発呼を設定することができる。
前述の方法の一実施形態を請求項７に規定する。好ましくは、少なくとも相互接続の課金制御が、第２ネットワークによって／その内部で行われ、および／または少なくとも相互接続の接続制御が第２ネットワークによって／その内部で行われる。
【００１９】
前述の方法の一実施形態を請求項８に規定する。可能性としては、個人固定ネットワークのような、第３ネットワークを関与させてもよい。
第１情報の受信に応答して（第２ステップの第１サブステップ）、第３情報を第３ネットワークに送る。第３情報は、例えば、第３ネットワーク・ユニットに到達し、例えば、第１ネットワーク・ユニットから発信し、例えば、接続を開始した際に経由した第１加入者局の第１識別子の少なくとも一部を備えているか、あるいは、例えば、第１加入者局のこの第１識別子へのポインタを備えているか、あるいは、例えば、第１情報へのポインタを備えており、更に、例えば、発呼される第２加入者局の第２識別子の少なくとも一部、または発呼される第３加入者局の第３識別子の少なくとも一部を備えている。第２加入者局の第２識別子は、この第２識別子が、更に、少なくとも相互接続の課金制御が第１ネットワークによって行われず、他のネットワークによって行われることを規定するようにしても、しなくてもよい。
【００２０】
第３情報の受信に応答して（第２ステップの第２サブステップ）、第２情報を第２ネットワークに送る。第２情報は、第３モジュールを備えているときには、例えば、第３ネットワーク・ユニットから発信し、第３ネットワーク・ユニットに結合されているときには、例えば、第３モジュールから発信し、第３情報と同一であってもよく、あるいは第３情報とは部分的または全体的に異なってもよい。
【００２１】
第１の可能性（呼転送）によれば、第３ネットワークは呼を第２ネットワークに転送し終えている。第２の可能性（並列呼び出し; parallel ringing）によれば、第２および第３ネットワークは「並列呼び出し」を以下のように実行するが、その他の可能性も除外したのではない。
【００２２】
第３ネットワークにおいて、第３情報の受信に応答して、第３ネットワーク内に、接続の第３部分を設定することができる。接続の第３部分は、例えば、第３ネットワーク・ユニットと第３加入者局との間における第３行程であり、例えば、第２および第３加入者局において「並列呼び出し」を実現するように設定し、例えば、第２加入者が第２または第３加入者局を通じて発呼に答えることを選択できるようにすることができる。接続は、更に、第１および第３ネットワークと第３部分との間に、更に別の相互接続を備えることもできる。この更に別の相互接続は、例えば、第３ネットワーク・ユニットと第１ネットワーク・ユニットとの間における更に別の相互接続行程である。あるいは、この場合、相互接続は、第２および第３ネットワーク・ユニットの間にある相互接続行程のように、これら第２および第３ネットワーク・ユニットの間にあってもよい。この場合、第１ネットワークは、第１加入者局を第３ネットワークに結合するためにのみ用いられ、第３ネットワークが第２ネットワークに接触し、第２および第３ネットワーク間に相互接続ができ、これによって第２ネットワークが、第２および第３ネットワーク間等における少なくともこの相互接続の課金制御を引き受ける。
【００２３】
このように、「折り返し」発呼に先だって「通常」発呼を必要とせずに、この「折り返し」発呼を設定することができ、第２加入者は、「折り返し」発呼によって通信を実現するために第２加入者局を用いる選択肢、または「通常」発呼によって通信を実現するために第３加入者局を用いる選択肢を有する。
【００２４】
本発明の第３の態様によれば、請求項９に規定する第１ネットワークのための第１モジュールを提供する。
本発明の第４の態様によれば、請求項１０に規定する第１ネットワークのための第１下位方法を提供する。
【００２５】
本発明の第５の態様によれば、請求項１１に規定する第２ネットワークのための第２モジュールを提供する。
本発明の第６の態様によれば、請求項１２に規定する第２ネットワークのための第２下位方法を提供する。
【００２６】
本発明の第７の態様によれば、請求項１３に規定する第３ネットワークのための第３モジュールを提供する。
本発明の第８の態様によれば、請求項１４に規定する第3ネットワークのための第３下位方法を提供する。
【００２７】
本発明の第９の態様によれば、モジュールを備えている請求項１５に規定する構成を提供する。
本発明によるモジュール、本発明による下位方法、および本発明による構成の実施形態は、本発明による方法の実施形態と対応する。
【００２８】
別個の「通常」および「折り返し」発呼に基づく先行技術の折り返し手順が、ユーザには比較的煩わしいことを見抜くことができる。基本的な着想は、折り返し手順は、「通常」部分および「折り返し」部分を含む統合接続に基づくとよいということであればよい。
【００２９】
第１ネットワークにおける第１加入者から第２ネットワークにおける第２加入者に、異なるネットワーク間にある相互接続を通じて接続を設定することによって、例えば、第２ネットワークのネットワーク運営業者が、ネットワーク間における相互接続の課金制御を引き受け、（主に）第２加入者に接続の料金を課金することができ、別個の「通常」および「折り返し」発呼を設定する必要がない方法を提供するための問題を解決する。
【００３０】
以上から理解することができる本発明の一態様は、相互接続によって第２ネットワークに接続されている第１ネットワークに本発明を適用する場合、第１ネットワーク・ユニットは本質的に、通常の呼設定の間に実行するのと同じ動作を実行することにある。したがって、第１ネットワークの運営業者は、第１モジュール１２も運用せず、技術的観点から、本発明の適用について意識的に知る必要がない。
【００３１】
本発明の更に別の成果は、本発明を適用したときに、第１加入者局が新たな発呼を開始するときに、予め通知されていない場合、本発明が適用されることに気付かないことである。ここの理由は、先の呼設定の間に用いられる番号が、通例、通常の番号と変わりなく、本発明の実施に特に用いられる番号として認識できないからである。
【００３２】
更に別の利点は、新たなサービスの導入が可能になったことであるということができる。
本発明のこれらおよびその他の態様は、以下に記載する実施形態から明らかであり、更に解明されよう。
【図面の簡単な説明】
【００３３】
【図１】図１は、本発明による第１の状況の第１模式図を示す。
【図２】図２は、本発明による第２の状況の第２模式図を示す。
【図３】図３は、本発明によるモジュールを備えている、本発明による構成の第３模式図を示す。
【図４】図４は、本発明において適用可能な通話の流れ図を示す。
【図５】図５は、本発明において適用可能な通話の上位アーキテクチャを示す。
【図６】図６は、本発明の適用を例示する図である。
【図７】図７は、本発明を応用して使用する事例を示す図である。
【発明を実施するための形態】
【００３４】
図１において、第１ネットワーク１は、公衆固定ネットワークまたはその他の公衆またはプライベート・ネットワークのように示されている。第１ネットワーク１は、第１ネットワーク・ユニット１１を備えている。第１ネットワーク・ユニット１１は、結合部４１を通じて第１加入者局１０に結合されており、更に結合部５１を通じて第１モジュール１２に結合されている。更に、第２ネットワーク２が、公衆移動体ネットワークあるいはその他の公衆またはプライベート・ネットワークのように示されている。第２ネットワーク２は、第２ネットワーク・ユニット２１を備えている。第２ネットワーク・ユニット２１は、結合部４２を通じて第２加入者局２０に結合されており、更に結合部５２を通じて第２モジュール２２に結合されている。第１および第２ネットワーク・ユニット１１および２１は、結合部４３を通じて互いに結合されている。第１および第２モジュール１２および２２は、結合部６１を通じて互いに結合されている。ネットワーク・ユニット１１および２１は、例えば、各々交換機、ルータ、転送機、マルチプレクサ、サーバ等を備えている。
【００３５】
第１加入者が「通常」接続（例えば、先行技術の非インテリジェント・ネットワーク環境において）を通じて第２加入者と通信したい場合、第１加入者局１０を取って、第２加入者局２０の「実際の」番号にダイアルする。これに応答して、第１加入者局１０から、結合部４１およびネットワーク・ユニット１１ならびに結合部４３、ネットワーク・ユニット２１および結合部４２を経由して、第２加入者局２０まで、「通常」接続が設定される。第１加入者は、この「通常」接続の料金を課金される。
【００３６】
第１加入者が「折り返し」接続を通じて第２加入者と通信したい場合（本発明の第１選択肢にしたがって）、第１加入者局１０を取って、例えば、第２加入者局２０の「仮想」番号にダイアルする。この「仮想」番号は、第２加入者局２０の「実際の」番号とは異なる。これに応答して、第１ネットワーク・ユニット１１は第１情報を収集する。第１情報は、例えば、第１加入者局１０の電話番号のような、接続が開始された第１加入者局１０の第１識別子の少なくとも一部を含む。このようにして、接続の少なくとも第１部分を定める。この第１部分は、例えば、結合部４１に対応する。第１情報は、更に、例えば、第２加入者局２０の「仮想」番号のような発呼される第２加入者局２０の第２識別子の少なくとも一部も含む。このようにして、少なくとも第１および第２ネットワーク１および２間における相互接続の課金制御は、例えば、第２ネットワーク２の内部というように、第１ネットワーク１の外部で行われることが定められる。第１情報が第１ネットワーク・ユニット１１によって受信される前、第１情報が第１ネットワーク・ユニット１１によって受信されている間、または第１情報が第１ネットワーク・ユニット１１によって受信された後に、接続の第１部分を例えば設定し、例えば開放したままにする。他の選択肢も除外した訳ではない。
【００３７】
第１ネットワーク・ユニット１１は、第１情報を第１モジュール１２に結合部５１を通じて送る。これに応答して、第１モジュール１２は第２情報を第２モジュール２２に、例えば、データ接続のような結合部６１を通じて、または結合部５１、４３および５２を通じて送る。第２情報は、第１情報と同一であってもよく、あるいは第１情報とは部分的にまたは全体的に異なっていてもよい。一部または全体が異なっている場合、第１モジュール１２が変換に対処すればよい。第２情報は、例えば、第１加入者局１０の電話番号のような、例えば、接続を開始した第１加入者局１０の第１識別子の少なくとも一部を備えているか、あるいは例えば、第１加入者局１０のこの第１識別子へのリンクを備えているか、あるいは例えば、第１情報へのリンクを備えている。更に、第２情報は、例えば、第２加入者局２０の「実際の」番号のような、発呼されようとする第２加入者局２０の第２識別子の少なくとも一部を備えており、これによって、例えば、第１モジュール１２は第２加入者局２０の「仮想」番号を、この第２加入者局２０の「実際の」番号に変換する（第２識別子は、更に、前述のリンクの１つ以上としても用いることができる）。このように、少なくとも相互接続の課金制御が、第２ネットワーク２の内部のような、第１ネットワーク１の外側で行われることが定められる。第１および第２加入者局１０および２０の第１（入手可能な場合）および第２識別子（の一部）は、更に、例えば、結合部４２のような、接続の第２部分も定める。
【００３８】
第２モジュール２２は、第２情報を受信し、それに応答して設定命令を第２ネットワーク・ユニット２１に送る。第２ネットワーク・ユニット２１は、応答して、第２ネットワーク内部に接続の第２部分を設定する。この接続の第２部分は、例えば、結合部４２と対応する。この接続は、第１部分、相互接続、および第２部分を備えている。相互接続は、例えば、結合部４３と対応し、第２部分と第１部分との間に結合部を形成して、第１および第２加入者局１０および２０が通信できるようにする。第１部分、相互接続、および第２部分の設定は、この特定の順序で、またはその他のシーケンスで行うこともできる。その結果、「通常」発呼がこの「折り返し」発呼に先だって行われる必要なく、「折り返し」発呼が設定されたことになる。
【００３９】
第１加入者が接続を通じて第２加入者と通信したい場合（本発明の第２選択肢にしたがって）、第１加入者局１０を取って、第２加入者局２０の「実際の」番号にダイアルする。これに応答して、第１ネットワーク・ユニット１１は第１情報を収集する。第１情報は、例えば、第１加入者局１０の電話番号のような、接続を開始した第１加入者局１０の第１識別子の少なくとも一部を備えている。このようにして、接続の少なくとも第１部分を定める。この第１部分は、例えば、結合部４１と対応する。第１情報は、更に、例えば、第２加入者局局２０の「実際の」番号のような、発呼されようとしている第２加入者局２０の第２識別子の少なくとも一部も備えている。第１情報が第１ネットワーク・ユニット１１によって受信される前、第１情報が第１ネットワーク・ユニット１１によって受信されている間、または第１情報が第１ネットワーク・ユニット１１によって受信された後に、接続の第１部分は例えば設定され、例えば開放したままにする。他の選択肢も除外した訳ではない。
【００４０】
しかし、このとき、第１ネットワーク１内部またはその付近において、「実際の」番号またはその他の「ダイアルされた」番号を「仮想」番号に変換するための変換が行われる。これを実現するのに可能な方法の１つは、第１ネットワーク内部または付近にあるデータベースまたはアプリケーションに照会し、例えば、ユーザ設定（ユーザの好み等のような設定）またはその他のパラメータ（時刻、日付等のようなパラメータ）に応じて、変換を行うことである。他の選択肢も除外した訳ではない。このデータベースは、部分的または全体的に、第１ネットワーク・ユニット１１の一部をなしても、なさなくてもよい。「仮想」番号を通じて、少なくとも第１および第２ネットワーク１および２間における相互接続の課金制御が、例えば、第２ネットワーク２内部のような、第１ネットワーク１の外側で行われることになる。
【００４１】
第１ネットワーク・ユニット１１は、変換した第１情報を第１モジュール１２に結合部５１を通じて送り、あるいはデータベースまたはアプリケーションが部分的にまたは全体的に第１モジュール１２の一部をなす場合には、第１ネットワーク・ユニット１１は第１情報を変換するために第１モジュール１２に送る。これに応答して、第１モジュール１２は第２情報を第２モジュール２２に、データ接続のように、例えば、結合部６１を通じて、または結合部５１、４３、および５２を通じて送る。第２情報は、第１情報と同一であってもよく、あるいは部分的または全体的に第１情報とは異なっていてもよい。部分的または全体的に異なる場合、第１モジュール１２が変換に対処すればよい。第２情報は、例えば、第１加入者局１０の電話番号のように、接続を開始した第１加入者局１０（利用可能である場合）の第１識別子の少なくとも一部を備えており、あるいは、例えば、第１加入者局１０のこの第１識別子へのリンクを備えており、あるいは、例えば、第１情報へのリンクを備えている。更に、第２情報は、例えば、第２加入者局２０の「実際の」番号のような、発呼されようとしている第２加入者局２０の第２識別子の少なくとも一部を備えており、これによって、例えば、データベースまたはアプリケーションが「ダイアルされた」番号を「仮想」番号に変換し、更にこれによって第１モジュール１２が第２加入者局２０の「仮想」番号をこの第２加入者局２０の「実際の」番号に変換する。あるいは、第２情報は、例えば、第２加入者局２０の「仮想」番号を備えてもよく、これによって、例えば、第２モジュール２２は第２加入者局２０のこの「仮想」番号の「実際の」番号への変換に対処する（第２識別子は、更に、前述のリンクの１つ以上としても用いることができる）。このようにして、少なくとも相互接続の課金制御が、例えば、第２ネットワーク２の内部のような、第１ネットワーク１の外側で行われることが定められる。第１および第２加入者局１０および２０の第１（入手可能な場合）および第２識別子（の一部）は、更に、例えば、結合部４２のような、接続の第２部分も定める。
【００４２】
第２モジュール２２は、前述のように、第１選択肢について第２情報等を受信する。
モジュール１２および２２の一方において行われるいずれの動作も、本発明の範囲から逸脱することなく、他方に移行させてもよい。「実際の」番号および「仮想」番号を用いる代わりに、他の種類の番号を用いてもよく、および／または他の種類の識別子および／または定義を用いる等としてもよい。
【００４３】
したがって、本発明は、ネットワーク中心解決策に基づいた自動およびユーザ秘匿折り返し手順のための機構を提供する。これは収束ネットワーク解決策である。何故なら、この機構は機能レイヤおよび管理レイヤにおいて双方のネットワークによる支援を受ける必要がある場合があるからである。この解決策のネットワーク中心特性により、電話器機において余分な機構を実装する必要はなく、ユーザの視点から必要な特定的な手作業の取扱は不要となる。
【００４４】
本発明は以下の場合に有効であると言えよう。
−予算またはアカウントを共有する人の集団（会社の従業員、家族）において、集団の構成員が、異なる種類のネットワークにアクセスする電話機を用いる場合。
【００４５】
−第２ネットワークの個々のユーザが、外部ネットワークから発呼する通信相手に対する高い通信コストを回避したい場合。
−第２ネットワークのネットワークまたはサービス運営業者が、外部ネットワークにおいて開始される着信呼の完全な呼制御および課金制御を行いたい場合。
【００４６】
前述の機構により、ネットワークまたはサービス運営業者は、特定的で高級な洗練された電気通信サービスを提供する立場となる。
図１に関して、第１および第２モジュール１２および２２は、ＩＮ（インテリジェント・ネットワーク）推奨に準拠したＳＣＰ（サービス制御地点）上のアプリケーションとすることができ、ＣＡＭＥＬ（移動体改良ロジック用カスタム化アプリケーション：Customized Application for Mobile Enhanced Logic）推奨に準拠したＣＳＥ（ＣＡＭＥＬサービス環境）上のアプリケーションとすることができ、例えば、ＩＳＵＰ（ＩＳＤＮユーザ部分）を通じて接続したＳＮ（サービス・ノード）上のアプリケーションとすることができ、ＯＳＡアプリケーション・サービス上のアプリケーションとすることができ、あるいはネットワーク・ユニット１１および２１に統合したアプリケーションとすることができる。更に、ＳＩＰ（セッション開始プロトコル）機器、ＶｏＩＰ機器、およびＩＰ機器、ならびにその他の機器も除外されることはない。
【００４７】
第２ネットワーク２の第２加入者は、第２加入者局２０を用い、専用移動体番号（「実際の」番号）、例えば、第２加入者局２０にアドレスする＋４９  １７７  ４４８  ７８８と、例えば、第１ネットワーク１のネットワーク運営業者の番号範囲に属する「仮想固定ネット番号」（「仮想」番号）、例えば、＋４９  ２１１  ２３２３２３とを有する。この仮想固定ネット番号には、第１ネットワーク１には物理的な終端がない。この番号への発呼は、第２ネットワーク２に導かれ、移動体番号に着信する。「仮想固定ネット番号」というサービスの着想は、第２加入者が「仮想固定ネット番号」を伝達するが、この番号への発呼は第２加入者局２０において受信することにあり、本発明は、第２ネットワーク２の運営業者が発呼、および第２ネットワーク２と第１ネットワーク１との間における呼行程に対する課金を制御することに対処する。
【００４８】
図１に関して、該当する想定場面の１つに対する上位アーキテクチャの一例は、次のようなものとすればよいが、代案を除外するのではない。
−第１加入者が第２加入者と電話で通信することを望み、電話機のような第１加入者局１０において第２加入者の「仮想固定ネット番号」にダイアルする。
【００４９】
−ダイアルした数値が、固定ネット交換局のような、第１ネットワーク・ユニット１１に転送される。
−第１ネットワーク・ユニット１１は、この発呼を第１モジュール１２に導き、第１モジュール１２（この例では、モジュール１２がサービス・ノードとして機能する）が第１加入者からの（結合部５１の第１チャネルを通じた）発呼試行を受信する。
【００５０】
−第１モジュール１２において、第２加入者の「仮想固定ネット番号」および移動体番号は、この第１モジュール１２のアプリケーションが、「仮想固定ネット番号」サービスに加入している第２加入者の移動体番号を特定することができるような方法で管理されており、第１モジュール１２は、この専用呼(dedicated call)を特定する相関ＩＤを発生する。
【００５１】
−第１モジュール１２はこの発呼（「初期アドレス・メッセージ」）を第２モジュール・ネットワーク２に第１ネットワーク・ユニット１１を通じて（結合部５１の第２チャネルを通じ、更に図１における結合部４３の第１チャネルを通じて）導く。
【００５２】
−第２加入者の相関ＩＤおよび移動体番号、ならびに第１加入者の番号は、第１モジュール１２によって組み合わされ、ＩＳＵＰのようなシグナリング・プロトコルによって、初期アドレス・メッセージを用いて、第２ネットワーク２における移動体交換局のような、第２ネットワーク・ユニット２１に組み合わせを搬送する。
【００５３】
−第２ネットワーク・ユニット２１は、ＩＮＡＰまたはＣＡＭＥＬプロトコルを用いて、第２モジュール２２をトリガし呼び出す（図１における結合部５２の第１チャネルを通じて）。
【００５４】
−第２ネットワーク・ユニット２１は、相関ＩＤ、第２加入者の移動体番号、および第１加入者の番号の第２モジュール２２への転送を引き受ける。
−第２モジュール２２は、相関ＩＤに基づく発呼試行を認識し、呼パラメータを読み取るが、発呼試行は受け入れられない。
【００５５】
−第２モジュール２２は、ＩＮＡＰまたはＣＡＭＥＬプロトコルを用いることによって第１モジュール１２への発呼（結合部４３の第１チャネルおよび結合部５１の第２チャネルを通じた）を解除するように第２ネットワーク・ユニット２１に命令するが、結合部５１の第１チャネルおよび結合部４１はなおもアクティブのままである。
【００５６】
−第２モジュール２２は、ＩＮＡＰまたはＣＡＭＥＬプロトコルを用いて第１モジュール１２に戻る呼行程を確立する（図１における結合部４３の第２チャネルおよび結合部５１の第３チャネルを通じて）ように、第２ネットワーク・ユニット２１に命令する。
【００５７】
−例えば、ＩＳＵＰプロトコルを用いて、相関ＩＤを第１モジュール１２に第１ネットワーク・ユニット１１を通じて搬送する。
−第１モジュール１２は、相関ＩＤを分析することによって、具体的な通話場面を特定することができる。
【００５８】
−第１モジュール１２は、第１ネットワーク・ユニット１１を通じて応答メッセージを第２ネットワーク・ユニット２１に返送することにより着信呼行程(call leg)を受け入れ、第２ネットワーク・ユニット２１からの新たな着信呼の呼行程を、第１加入者局１０の呼行程と相互接続する。
【００５９】
−第２ネットワーク・ユニット２１は、ＩＮＡＰまたはＣＡＭＥＬプロトコルを用いることによって、第１モジュール１２が発呼に答えたことを、第２モジュール２２に通知する。
【００６０】
−第２モジュール２２は、ＩＮＡＰまたはＣＡＭＥＬプロトコルを用いて、第２加入者（結合部４２）の第２加入者局２０への別の呼行程を確立するように、第２ネットワーク・ユニット２１に命令し、更に第２加入者２０への新たな呼行程を第１モジュールへの呼行程と相互接続するように、第２ネットワーク・ユニット２１に命令し、第２加入者の第２加入者局２０が発呼に答えたときに、第１および第２加入者は通信を開始することができる。
【００６１】
−第２ネットワーク２の第２ネットワーク・ユニット２１は、ネットワーク２および１間における相互接続（結合部４３）に対する呼データ記録を、第２加入者への請求書を準備するための基準として生成する。
【００６２】
通例ＩＳＵＰプロトコルに基づくネットワークのシグナリング処理能力を用いることによって発呼を導く代わりに、第１モジュール１２は、しかるべきＩＴプロトコルを用いて、データ接続（結合部６１、例えば、インターネット、ＧＰＲＳ．．．．）によって直接第２モジュール２２と通信することもできる。「折り返し」発呼に必要なパラメータ、例えば、相関ＩＤならびに第１および第２加入者の番号を第１モジュール１２から第２モジュール２２に転送しなければならない。更に、相関ＩＤは、実施形態の一例に過ぎず、他の番号、指示、定義等と交換してもよい。
【００６３】
図２において、第１ネットワーク１は、公衆固定ネットワーク、あるいは別の公衆またはプライベート・ネットワークとして示されている。第１ネットワーク１は、結合部４１を通じて第１加入者局１０に結合されている第１ネットワーク・ユニット１１を備えている。更に、第２ネットワーク２が、公衆移動体ネットワークあるいは別の公衆またはプライベート・ネットワークとして示されている。第２ネットワーク２は、第２ネットワーク・ユニット２１を備えている。第２ネットワーク・ユニット２１は、結合部４２を通じて第２加入者局２０に結合され、更に結合部５２を通じて第２モジュール２２に結合されている。第１および第２ネットワーク・ユニット１１および２１は、結合部４３を通じて、互いに結合されている。更に、第３ネットワーク３が、個人固定ネットワークあるいは別の公衆またはプライベート・ネットワークとして示されている。第３ネットワーク３は、第３ネットワーク・ユニット３１を備えている。第３ネットワーク・ユニット３１は、結合部４４を通じて第３加入者局３０に結合され、更に結合部５３を通じて第３モジュール３２に結合されている。第１および第３ネットワーク・ユニット１１および３１は、結合部４５を通じて互いに結合されている。第２および第３ネットワーク・ユニット２１および３１は、結合部４６を通じて互いに結合されている。第２および第３モジュール２１および３１は、結合部６２を通じて互いに結合されている。ネットワーク・ユニット１１、２１、および３１は、例えば、各々交換機、ルータ、転送機、マルチプレクサ、サーバ等を備えている。
【００６４】
図２に関して、第２モジュール２２は、ＩＮ（インテリジェント・ネットワーク）推奨に準拠したＳＣＰ（サービス制御地点）上のアプリケーションとすることができ、ＣＡＭＥＬ（移動体改良ロジック用カスタム化アプリケーション：Customized Application for Mobile Enhanced Logic)推奨に準拠したＣＳＥ（ＣＡＭＥＬサービス環境）上のアプリケーションとすることができ、例えば、ＩＳＵＰ（ＩＳＤＮユーザ部分）を通じて接続したＳＮ（サービス・ノード）上のアプリケーションとすることができ、ＯＳＡアプリケーション・サーバ・プロトコル上のアプリケーションとすることができ、あるいは第２ネットワーク２の第２ネットワーク・ユニット２１の中に統合されたアプリケーションとすることができる。第３モジュール３２は、第３ネットワーク・ユニット３１に接続されている別個のシステム上のアプリケーションとすることができ、あるいは第３モジュール３２は第３ネットワーク・ユニット３１の中に完全にまたは部分的に統合することができる。更に、ＳＩＰ（セッション開始プロトコル）機器、ＶｏＩＰ機器、およびＩＰ機器、ならびに更に別の機器も除外されることはない。
【００６５】
第２加入者は、第２ネットワーク２および第３ネットワーク３において２つの加入者局２０および３０を用いる。第３加入者局３０は、第３ネットワーク・ユニット３１が担当する固定ネット電話機またはＩＰ電話機とすることができる。この組み合わせの着想は、第２加入者が１つの番号（通例では、第３加入者局３０の番号）の下で到達可能となることである。着信呼の場合、この組み合わせによって、第２および第３加入者局２０および３０が並列して呼び出し音を発生し、第２加入者はこれらの内の１つにおいて呼を受信する選択を有する。本発明は、第２加入者が第２加入者局２０を通じて呼を受信している場合に、第２ネットワーク２の運営業者が、呼を制御すること、および第２ネットワーク２と第１ネットワーク１との間における呼行程に対する課金を制御することを引き受ける。
【００６６】
図２に関して、該当する想定場面に対する上位アーキテクチャの一例は、次のようなものとすればよいが、代案を除外するのではない。
−第１加入者が第２加入者と通信することを望み、第１加入者は、例えば、第１ネットワーク１が担当する第１加入者局１０を用いて、第３加入者局３０の番号をダイアルする。
【００６７】
−ダイアルされた数字は、第１ネットワーク１の固定ネット交換局のような、第１ネットワーク・ユニット１１に転送される。
−発呼は、第１ネットワーク・ユニット１１によって、（結合部４５の第１チャネルを通じて）第３ネットワーク３における第３ネットワーク・ユニット３１に導かれる。
【００６８】
−第３ネットワーク・ユニット３１は、発呼を第３モジュール３２に導くように構成されており、この第３モジュール３２は第１加入者からの（結合部５３の第１チャネルを通じた）発呼試行を受信し、第３ネットワーク・ユニット３１は第３加入者局３０への発呼試行を（結合部４４を通じて）開始する。
【００６９】
−第３モジュール３２は、第３ネットワーク・ユニット３１と一緒に、第２ネットワーク２への発呼試行（一時的発呼試行）を（結合部５３および４５の第２チャネルを通じ、更に結合部４３の第１チャネルを通じて）開始する。
【００７０】
−第２ネットワーク２への一時的発呼試行のシグナリングにおいて、この専用呼を特定する、第３モジュール３２が発生した相関ＩＤ、入手可能であれば、第１および第２加入者の番号を、例えば、プライベート・ネットワークではＱＳＩＧプロトコルを用いて、そして公衆ネットワークではＩＳＵＰを用いて、含ませる。
【００７１】
−第２ネットワーク・ユニット２１は、ＩＮＡＰまたはＣＡＭＥＬプロトコルを用いて（結合部５２の第１チャネルを通じて）第２モジュール２２をトリガし呼び出す。
−第２ネットワーク・ユニット２１は、相関ＩＤ、ならびに、可能であれば、第１および第２加入者の番号のようなパラメータの第２モジュール２２への転送を引き受ける。
【００７２】
−第２モジュール２２は、一時的発呼試行を認識し、呼パラメータを読み出すが、発呼試行は受け入れられない。
−第２モジュール２２は、ＩＮＡＰまたはＣＡＭＥＬプロトコルを用いて、第３モジュール３２への発呼（結合部４３の第１チャネルならびに結合部４５および５３の第２チャネル）を解除するように、第２ネットワーク・ユニット２１に（第２チャネルを通じて）命令するが、結合部５３および４５の第１チャネルはなおもアクティブのままである。
【００７３】
−第２モジュール２２は、ＩＮＡＰまたはＣＡＭＥＬプロトコルを用いて、第３モジュール３２に戻る呼行程（結合部４３の第２チャネルを通じ、結合部４５の第２チャネルを通じ、結合部５３の第３チャネルを通じて）を確立するように、第２ネットワーク・ユニット２１に（結合部５２の第２チャネルを通じて）命令する。
【００７４】
−例えば、公衆ネットワークにおけるＩＳＵＰプロトコルを用いて第１ネットワーク・ユニット１１を通じて、そして例えば、プライベート・ネットワークにおけるＱＳＩＧを用いて第３ネットワーク・ユニット３１を通じて、相関ＩＤを第３モジュール３２に搬送する。
【００７５】
−第３モジュール３２は、相関ＩＤを分析することにより、具体的な発呼状況を特定することができる。
−第３モジュール３２は、応答メッセージを第２ネットワーク・ユニット２１に第１ネットワーク・ユニット１１および第３ネットワーク・ユニット３１を通じて返送することによって、着信呼を受け入れ、第２ネットワーク・ユニット２１からの新たな着信呼の呼行程を、第３ネットワーク・ユニット３１を通じた第１加入者局１０の呼行程と相互接続する。
【００７６】
−第２ネットワーク・ユニット２１は、ＩＮＡＰまたはＣＡＭＥＬプロトコルを用いることによって、第３モジュール３２が発呼に答えたことを、第２モジュール２２に通知する。
【００７７】
−第２モジュール２２は、ＩＮＡＰまたはＣＡＭＥＬプロトコルを用いて、第２加入者（結合部４２）の第２加入局２０への別の呼行程を確立するように、第２ネットワーク・ユニット２１に命令し、更に、第２加入者２０の新たな呼行程を、第３モジュールへの呼行程と相互接続するように、第２ネットワーク・ユニット２１に命令する。
【００７８】
−この段階において、関与するモジュールおよびシステムは、第２および第３加入者局２０および３０における並列呼び出しを引き受ける。
−第２加入者局２０が発呼を取った場合、第３ネットワーク・ユニット３１は第３加入者局３０までの呼行程を解除し、第１および第２加入者は通信を開始することができる。
【００７９】
−第２ネットワーク２の第２ネットワーク・ユニット２１は、ネットワーク２および１間の相互接続（結合部４３）に対する呼データ記録を、第２加入者に対する請求書を準備するための基準として発生する。
【００８０】
通例ではＩＳＵＰプロトコルおよびＱＳＩＧプロトコルに基づいてネットワークのシグナリング処理能力を用いることによって発呼を導く代わりに、第３モジュール３２は、しかるべきＩＴプロトコルを用いて、データ接続（結合部６２、例えば、インターネット、ＧＰＲＳ．．．．）を通じて直接第２モジュール２２と通信することもできる。「折り返し」発呼に必要なパラメータ、例えば、相関ＩＤ、被呼側（第２加入者）の番号、および発呼者（第１加入者）の番号は、第３モジュール３２から第２モジュール２２に転送しなければならない。更に、相関ＩＤは、実施形態の一例に過ぎず、他の番号、指示、定義等と交換してもよい。
【００８１】
代案として、第２および第３ネットワーク・ユニット２１および３２（結合部４６）間において更に直接的な接続を通じて相互接続を実現することにより、第１加入者局１０を第３ネットワーク・ユニット３１等に結合するためにのみ、第１ネットワーク１を用いる。
【００８２】
更に別の代案として、「並列呼び出し」を実現する代わりに、第３および第２ネットワーク３および２を用いて、第３ネットワーク３から第２ネットワーク２への「呼転送」を実現し、「並列呼び出し」を全く行わず、更に第３加入者局３０も関与しないようにしてもよい。
【００８３】
例えば、第２加入者局２０が、ユニット３１（通例、ＰＢＸ）を通じた発呼の支払いを行う同じ会社に属し、第２ネットワーク２から第１ネットワークへ発呼する場合の価格「１分当たりｙ」が第１ネットワーク１から第２ネットワーク２へ発呼する場合の価格「１分当たりｘ」よりも低い場合、会社は通信のための費用を節約することができる。
【００８４】
図３において、本発明によるモジュール８２を備えている本発明による構成７１が示されている。構成７１は、例えば、ネットワーク、または、交換機、ルータ、転送機、マルチプレクサ、サーバ等のような、ネットワーク・ユニット１１、２１、または３１のようなその一部と対応する。モジュール８２は、例えば、第１、第２、および第３モジュール１２、２２、および３２と対応する。
【００８５】
構成７１は、例えば、コントローラ７３およびモジュール８２のインターフェース８６に結合されている交換機７２を備えている。更に、モジュール８２は、例えば、受信機８３、コントローラ８４、および送信機８５を備えており、これらはインターフェース８６に結合されている。更に、コントローラ８４は、受信機８３および送信機８５に結合されている。あるいは、モジュール８２を構成７１の外側に配置してもよい。コントローラ７３および８４は、ストレージを備えることができ、着信信号を検出する検出器、出立信号を発生する発生器、および図示しない信号等を変換する変換器を備えることもできる。「信号」という用語は、「情報」、「命令」等でもよい。
【００８６】
したがって、発呼の（異なるネットワーク１、２、または２、３間における相互接続）の課金制御は、第２ネットワーク２の内部で行うことができ、および／または発呼の（異なるネットワーク１、２、または２、３間の相互接続の）発呼制御は、第２ネットワーク２の内部で行うことができることが好ましい。しかしながら、これは、この第１加入者に発呼毎に固定金額を課金するというように、または第１加入者の方が請求の内少額の部分だけを課金することによって、第２加入者の方がこの請求の多い額を課金するというように、「折り返し」発呼の料金を第１加入者に課金することの可能性を除外するのではない。
【００８７】
第１および第２加入者は、図１および図２では、直接第１および第２および第３ネットワーク１、２、および３に結合されている。しかしながら、例えば、ボイス・オーバー・インターネット・プロトコル、即ち、ＶｏＩＰネットワークのような更に別のネットワークを通じて、加入者を間接的にネットワークに結合することを除外するのではない。この場合、ブロック１０、２０および／または３０は、ＶｏＩＰゲートウェイ等のような、ゲートウェイを表すことができる。各ネットワークは、本発明の範囲から逸脱することなく、２つ以上のサブ・ネットワークを備えることができ、各結合部は、有線またはワイヤレス結合でもよく、２つ以上の下位結合部および／または１つ以上のネットワーク・ユニットを備えることもできる。第２および第３加入者局２０および３０は、異なる送受信機を備えている１つの物理的加入者局の一部をなすのであってもよく、各加入者局１０、２０、３０は、いずれの種類のものでもよい。本発明の範囲から逸脱することなく、本発明の各面(piece)は、２つ以上の更に小さい面に分割することもでき、更に本発明の２つ以上の面を組み合わせて、それらよりも大きい１つの面にすることもできる。
【００８８】
要約すると、第１ネットワーク１、例えば、公開固定ネットワークにおける異なるネットワーク１、２または２、３間における相互接続を通じて接続を設定する（第１ステップ）ためには、第１ネットワーク１内部における接続の少なくとも第１部分を定める第１情報を受信する。それに応答して、（第２ステップ）第２情報を第２ネットワーク２、例えば、公衆移動体ネットワークに送る。第２情報は、第１ネットワーク１の外側で行われる少なくとも相互接続の課金制御を定め、更に接続の第２部分を定める。これに応答して、（第３ステップ）接続の第２部分を第２ネットワーク２内部において設定する。接続は、第１部分、相互接続、および第２部分を備えている。このように、「折り返し」発呼を設定することができ、これらの「折り返し」発呼に先だって「通常」発呼を必要としない。本発明の更に別の実施形態例について、以下に詳細に述べる。
【００８９】
今日、顧客が彼の移動体デバイスのために移動体ネットワーク運営業者との加入契約を有し、更に彼の固定回線のために固定ネットワーク運営業者との加入契約を有することは、頻繁にあることである。慣例的な状況では、彼の固定回線から彼の移動体回線へ呼を転送し、次いで固定番号に発呼すると、固定ネットワークにおける呼の着信に対して、移動体ネットワークにおいて呼を着信するための着信料の方が高いために、比較的費用が多くかかる。更に、発呼側は、同じ理由により、移動体の番号よりも固定回線に発呼する方をむしろ好む。また、固定および移動体ネットワーク間における非対称的着信料を規制する国が数多くある。ネットワーク運営業者は、顧客を課金する際の柔軟性を高めるためにこれら規制価格を回避することはできない。
【００９０】
本発明は、前述の問題に取り組み、したがって様々な（異なる）当事者にとって有益となることができる。本発明の可能な便益の１つは、ユーザが彼の固定回線の契約を取り消すことができ（彼にとって、金銭を節約することができる）、しかもなお彼の元の固定ネット番号の下で到達可能であり続けられることである。何故なら、彼は、例えば、別の（仮想）固定ネットワーク運営業者に「持ち越し」、移動体ネットワーク運営業者と共同で用いられる番号を有することができるからである。本発明を適用すると、移動体ネットワークにおける着信のために高い着信料を支払うことなく、ユーザに彼の移動体上で到達することができる。何故なら、呼を転送する代わりに、相互接続の呼方向を逆転させるからであり、こうして移動体ネットワークにおける着信のための着信料を回避する。代わりに、固定ネットワークにおいて呼を着信させる。固定ネットワークにおいて着信させるための着信料の方が、殆どの場合安価である。
【００９１】
更に、発呼側が本発明から利益を得るのは、彼が元の固定ネット番号をダイアルすることにより、移動体加入者に到達でき、これは彼にとって発呼がかなり安価で済むからである。最後になるがこれも大事なこととして、移動体ネットワーク運営業者は、より多くの着信トラフィックを引き込むことができる。何故なら、以前では固定ネットワークしか利用できなかった、固定番号への発呼が、今や彼の移動体ネットワークも用いているからである。更に、移動体ネットワーク運営業者は、呼を獲得し、移動および固定ネットワーク間における相互接続の課金制御を行い、移動体加入者に料金を課金することができる。
【００９２】
例えば、本発明をセッティング(setting)において用いる場合に適用可能な通話の流れについて、図４（通話の流れの例の図）および図５（上位アーキテクチャ）を参照しながら以下に詳細に説明する。
【００９３】
通信を開始するユーザが、ネットワーク１（第１ネットワーク）に接続されている端末１０（第１加入者局）を用いる。この例では、図５に示すネットワーク１および相手側ネットワークは、双方共、ＳＳ７プロトコルをサポートする固定ネットワークであり、第１ネットワーク・ユニット１１は固定交換局（ＦＳＣ）であり、端末１０は、固定電話機であり、モジュール１２は相手側ネットワーク内にあるサービス・ノード（ＳＮ）である。端末２０の仮想固定ネット番号は、相手側ネットワークの番号範囲に属する。
【００９４】
この例では、ネットワーク２（第２ネットワーク）は、ＧＳＭまたはＵＭＴＳ規格に準拠する移動体ネットワークであり、固定ネットワークである、ネットワーク１（第１ネットワーク）と相互接続されている。ネットワーク２（第２ネットワーク）と相手側ネットワークとの間では、直接相互接続も可能であるが、この例では、双方のネットワーク間における接続は、中継ネットワークとしてのネットワーク１（第１ネットワーク）によってサポートされなければならない。第２ネットワーク・ユニット２１は、ゲートウェイ移動体交換局（ＧＭＳＣ）であり、サービス制御地点（ＳＣＰ）であるモジュール２２と、結合部５２によって結合されている。モジュール２３は、ホーム・ロケーション・レジスタ（ＨＬＲ）であり、結合部４８によってＳＣＰに結合されており、更に結合部４９によってＧＭＳＣと結合されている。モジュール２４は、訪問先移動体交換局（ＶＭＳＣ）であり、結合部４７によってＧＳＭ移動体（第２加入者局２０）と結合されており、更に結合部５０によってＧＭＳＣと結合されている。
【００９５】
第１加入者局（１０）は、固定ネットワーク（第１ネットワーク１）に属し、固定ネットワーク番号は、例えば、＋４９２１１４４４４４４４であり、第２加入者局（２０）はＧＳＭネットワーク（第２ネットワーク２）に属し、例えば、ＭＳＩＳＤＮ＝＋４９１７７１２３４５６７である。更に、第２加入者局（２０）は、仮想固定ネットワーク番号、例えば、＋４９５５５５５５５５５５に加入契約している。この番号は、任意の通常固定ネットワーク番号のように見え、固定ネットワーク（相手側ネットワーク;partner network）の番号範囲に属する。仮想固定ネットワーク番号は、ここでは、単に固定ネットワーク番号を用いるが、固定ネットワーク（相手側ネットワーク）において専用端末を有していないことを意味する。
【００９６】
ここで、第１加入者局（１０）が仮想固定ネットワーク番号＋４９５５５５５５５５５５をダイアルすることにより、第２加入者局（２０）に発呼し始め、固定ネットワーク（第１ネットワーク１）の固定交換局（ＦＳＣ）が呼設定１５０を受信する。ＦＳＣは、ダイアルされた番号を分析し、ISUP_InitialAddressMessage（ＩＡＭ）１５１（第１情報）をＳＮに送ることによって、特殊な番号処理を行わずに、通常の方法でこの発呼を相手側ネットワークに導く。このISUP_IAMメッセージ（第１情報）は、少なくともCalledPartyNumber(CDP)=+495555555555およびCallingPartyNumber(CGP)=+492114444444を含む。ＳＮは、ISUP_AddressCompleteMessage（ＡＣＭ）１５２でＦＳＣに応答し、第１加入者局（１０）への呼行程（接続の第１部分）を確立し保持する。ここで、ＳＮはデータベースに照会することによって、第１情報のCDP=+495555555555をチェックし、このＣＤＰが仮想固定ネットワーク番号サービスに属するか否か、そしてこのＣＤＰを第２加入者局（２０）のＧＳＭ番号MSISDN=+491771234567にどのように変換するか判断する。更に、ＳＮは、データベースの照会に基づいて、第１情報のＣＧＰをチェックして、仮想固定ネットワーク番号+495555555555を用いることによって、ＣＧＰが第２加入者局（２０）に発呼することが許可されているか否か判断する。この場合、ＣＤＰはデータベースに存在しないか、またはＣＧＰは第２加入者局（２０）に発呼することを許可されておらず、第１加入者局（１０）までの呼行程は、ＳＮによって解除され、ISUP_ReleaseメッセージがＦＳＣ（図では示されていない）に送られる。
【００９７】
第１情報のＣＤＰがデータベースに存在せず、第１情報のＣＧＰが第２加入者局（２０）に発呼することを許可されていない場合、ＳＮは、correlationID=+4917801234xxを発生する。これは、ＧＳＭネットワーク（第２ネットワーク２）のＭＳＩＳＤＮ番号範囲に属し、「ｘｘ」は番号範囲「００〜９９」の番号のためのプレースホルダである。例えば、correlationID=+491780123401となる。更に、このcorrelationIDは、CGP=+492114444444およびCDP=+495555555555にマップされており、別個のテーブルに保存される。その後、ＳＮが、ISUP_IAMメッセージ１５３（第２情報）をＦＳＣに送ることにより、新たな発呼を開始する。この新たなISUP_IAMメッセージ１５３（第２情報）は、correlationIDと同一である新たなCDP=+491780123401、第１加入者局（１０）のCGP=+492114444444、および第２加入者局（２０）のＧＳＭ番号であるOriginalCalledNumber=+491771234567を含む。
【００９８】
ＦＳＣは、第２情報の新たなＣＤＰを分析し、ISUP_IAMメッセージ１５４（第２情報）を送ることによって、ＧＳＭ−ネットワーク（第２ネットワーク２）のGatewayMobileSwitchingCenter（ＧＭＳＣ）２１に発呼を導く。ISUP_IAMメッセージ１５４は、CDP=+491780123401、CGP=+492114444444、およびOriginalCalledNumber=+491771234567を含む。
【００９９】
ＧＭＳＣ（第２ネットワーク・ユニット２１）は、ISUP_ACMメッセージ１５５で応答し、これをＦＳＣに送る。ＦＳＣは、ISUP_ACMメッセージ１５６をＳＮに転送する。更に、ＧＭＳＣは、受信した被呼側番号に基づいて、サービス・トリガ(service triggering)を設定し終えている(configure)。これは、交換機には極普通の機能性である。つまり、ＧＭＳＣは、受信したISUP_IAMメッセージ１５４（第２情報）のCDP=+491780123401を分析し始め、これが仮想固定ネット・サービスの反転した(reversed)被呼側番号範囲+491780123400から+491780123499に属することに気付き、CAMEL_InitialDP動作１５７を送ることにより、ＳＣＰ（第２モジュール２２）に対するトリガを開始する。このCAMEL_initialDP動作１５７は、少なくともCDP=+491780123401、CGP=+492114444444、および第2情報のOriginalCalledPartyID =+491771234567を含む。
【０１００】
ＳＣＰ（第２モジュール２２）は、データベースに照会することによって、第２情報のOriginalCalledPartyID=+491771234567（第２加入者局２０）をチェックし、この加入者が仮想固定ネットワーク・サービスのための機能を備えているか否か、そしてどの「仮想固定ネットワーク番号」、ここでは+495555555555がこの番号にマップされているか判断する。第２情報のOriginalCalledNumberID=+491771234567がデータベースの中に一覧表示されていない場合、ＳＣＰ（第２モジュール２２）は、例えば、「原因＝割り当てられていない番号」としたCAP_ReleaseCall動作を、図示しないＧＭＳＣに送る。これはISUP_ReleaseメッセージにマップされＦＳＣに送られる。ＦＳＣはそれをＳＮに転送し、ＳＮは「原因＝割り当てられていない番号」を分析し、第１加入者局（１０）までの呼行程を解除する。
【０１０１】
第２情報のOriginalCalledPartyID=+491771234567がデータベースの中に一覧表示されている場合、ＳＣＰ（第２モジュール２２）はMAP_SRIメッセージ１５８をＨＬＲ２３に送る。このメッセージは、第２加入者局（２０）のMSISDN=+491771234567を含み、ＭＳＩＳＤＮ（第２加入者局２０）の移動局ローミング番号（ＭＳＲＮ）を要求する。ＨＬＲ２３は、MAP_SRIresメッセージ１５９で応答する。このメッセージ１５９は、ＭＳＩＳＤＮ（第２加入者局２０）のＭＳＲＮを含む。
【０１０２】
次に、ＳＣＰ（第２モジュール２２）は、CAMEL_InitiateCallAttempt（ＩＣＡ）動作１６０をＧＭＳＣに送ることにより、第２加入者局（２０）に連絡することを意図して、新たな呼行程（接続の第２部分）を開始する。CAMEL_InitiateCallAttempt（ＩＣＡ）動作１６０は、少なくともDestinationRoutingAddress(DRA)=MSRN、およびCGP=(+<prefix>492114444444)を含み、ここで<prefix>は数字列、例えば、<prefix>='999'であり、第２加入者局（２０）が仮想固定ネット発呼、例えば、CGP=+999492114444444に対するインディケータとして用いる。更に、ＳＣＰ（第２モジュール２２）は、CAMEL_RequestReportBCSM（ＲＲＢ）動作１６０をＧＭＳＣに送り、oCalledPartyBusy、oAnswer、およびoTermSeizedに対して少なくとも異なる検出地点（ＤＰ：Detection Points）を備える(arm)。また、ＳＣＰ（第２モジュール２２）はCAMEL_Continue動作１６０をＧＭＳＣに送る。
【０１０３】
ＧＭＳＣは、ＳＣＰ（第２モジュール２２）に対して、CAMEL_ICAack動作１６１で応答し、CAMEL_ICA動作１６０のパラメータをISUP_IAMメッセージ１６２にマップし、それを第２加入者局（２０）の訪問先移動体交換局（ＶＭＳＣ）２４に送る。ISUP_IAMメッセージ１６２は、少なくともCDP=MSRNおよびCGP=+999492114444444を含む。
【０１０４】
ＶＭＳＣ２４は、ＧＭＳＣに対して、ISUP_ACMおよび「イベント・インディケータ＝警告」を含むISUP_CallProgress(CPG)メッセージ１６３で応答する。このISUPメッセージ１６３は、ＧＭＳＣにおいて、CAMEL_EventReportBCSM（ＥＲＢ）動作１６４にマップされる。CAMEL_EventReportBCSM（ＥＲＢ）動作１６４は、eventTypeBSCM=oTermSeizedを含み、ＳＣＰ（第２モジュール２２）に送られる。
【０１０５】
ＳＣＰ（第２モジュール２２）は、CAMEL_ERB動作１６４を分析し、第２加入者局（２０）が警告しており、CAMEL_ReleaseCall動作１６５をＧＭＳＣに送ることにより元の着信呼１５４を固定ネットワーク（第１ネットワーク１）から解除し始めることに気付く。CAMEL_ReleaseCall動作１６５は、例えば、「原因＝通常発呼解消」を含む。
【０１０６】
ＧＭＳＣは、動作１６５を「原因＝通常発呼解消」を含む、対応するISUP_Releaseメッセージ１６６にマップし、それをＦＳＣに送る。
ＦＳＣは、ISUP_ReleaseメッセージをＳＮ１６７に転送する。ＳＮ１６７は、原因値を分析し、ISUP_ReleaseCompleteメッセージ１６８をＦＳＣに送ることにより、ＧＳＭネットワーク（第２ネットワーク２）までの呼行程を解除することを確認する。
【０１０７】
更に、ＳＮは原因値を、後の折り返し発呼に対してＧＳＭネットワーク（第２ネットワーク２）内部で設定する内部終了タイマを開始するため、そしてISUP_CPGメッセージ１６９をＦＳＣに送ることによって第１加入者局（１０）までの呼行程（接続の第１部分）を保持するための識別子として用いる。
【０１０８】
第２加入者局（２０）が警告していない、例えば、ビジーである場合、ＶＭＳＣ２４はステップ１６３においてISUP_Releaseメッセージで応答する。ISUP_Releaseメッセージは、例えば、「原因＝ユーザ・ビジー」を含む。このメッセージは、ＧＭＳＣにおいて、eventTypeBCSM=oBusyを含むCAMEL_ERB動作１６４にマップされ、ＳＣＰ（第２モジュール２２）に送られる。ＳＣＰ（第２モジュール２２）はこの動作を分析し、折り返し手順を中止し、少なくとも、例えば、「原因＝ユーザ・ビジー」を含むCAMEL_ReleaseCall動作１６５をＧＭＳＣに送ることによって、元の着信呼１５４を固定ネットワーク（第１ネットワーク１）から解除する。この原因値は、ＦＣＳを通じてＳＮに送られ、ＳＮは、ＧＳＭネットワーク（第２ネットワーク２）までの呼行程を解除することを確認し、更に、別の対応するISUP_Release動作をＦＳＣ（図には示されていない）を送ることによって、ＳＮは第１加入者局（１０）までの呼行程（接続の第１部分）も解除する。
【０１０９】
第２加入者局（２０）が、番号接頭部「９９９」を用いることによって彼のディスプレイ上に示された着信した仮想固定ネットワーク発呼を受け入れた場合、第２加入者局（２０）はこの発呼に答えて、ＶＭＳＣ２４はISUP_Answer（ＡＮＭ）メッセージ１７０をＧＭＳＣに送る。ＧＭＳＣは、このメッセージをCAMEL_ERB(oAnswer)動作１７１にマップし、それをＳＣＰ（第２モジュール２２）に送る。ＳＣＰ（第２モジュール２２）はメッセージ１７１を分析し、CAMEL_InitiateCallAttempt（ＩＣＡ）動作１７２をＧＭＳＣに送ることによって、ＧＳＭネットワーク（第２ネットワーク２）から相手側ネットワークまで固定ネットワーク（第１ネットワーク１）を通じた新たな相互接続行程（相互接続）を開始する。CAMEL_InitiateCallAttempt（ＩＣＡ）動作１７２は、少なくともDestinationRoutingAddress(DRA)=+495555555555およびCGP=+491780123401を含む。更に、ＳＣＰ（第２モジュール２２）は、CAMEL_RequestReportBCSM（ＲＲＢ）動作１７２をＧＭＳＣに送って少なくとも回答検出地点（ＤＰ）oAnswerを備え、更にCAMEL_Continue動作１７２をＧＭＳＣに送る。
【０１１０】
ＧＭＳＣは、CAMEL_ICAack１７３でＳＣＰ（第２モジュール２２）に応答し、CAMEL_ICA動作１７２のパラメータをISUP_IAMメッセージ１７４にマップし、それを固定ネットワーク（第１ネットワーク１）のＦＳＣに送る。ISUP_IAMメッセージ１７４は、少なくともCDP==+495555555555およびCGP=+491780123401を含む。ＦＳＣは、ＣＤＰを分析し、ISUP_IAMメッセージ１７５を送ることによって、発呼をＳＮに導く。ISUP_IAMメッセージ１７５は、少なくともCDP==+495555555555およびCGP=+491780123401を含む。
【０１１１】
ＳＮは、最初に発生した相関ＩＤ(correlationID)と同一である、着信ＣＧＰをチェックし、内部テーブルに照会して、第１加入者局（１０）までの呼行程（接続の第１部分）の対応する呼データを読み出す。correlationIDがテーブルの中に存在する場合、ＳＮは終了タイマを中止し、相互接続行程のためにISUP_ANMメッセージ１７６をＦＳＣに送り、第１加入者局（１０）の呼行程（接続の第１部分）のために第２ISUP_ANMメッセージ１７７をＦＳＣに送る。次に、相互接続行程（相互接続）および第１加入者局（１０）の呼行程（接続の第１部分）を、ＳＮによって互いにブリッジする。
【０１１２】
ＦＳＣは、ISUP_ANMメッセージ１７８をＧＭＳＣに転送し、ＧＭＳＣはこのメッセージをＳＣＰ（第２モジュール２２）へのCAMEL_ERB(oAnswer)動作１７９にマップする。ＳＣＰ（第２モジュール２２）は、CAMEL_MoveLegおよびCAMEL_ContinueWithArgument動作１８０で、ＧＭＳＣに応答し、第２加入者局（２０）までの呼行程（接続の第２部分）および相互接続行程をブリッジするようにＧＭＳＣに命令する。
【０１１３】
ＧＭＳＣは、第２加入者局（２０）の呼行程（接続の第２部分）および相互接続行程をブリッジする。その結果、第１加入者局（１０）および第２加入者局（２０）は、この時点で互いに接続される。更に、ＧＭＳＣはMoveLegAck動作１８１をＳＣＰ（第２モジュール２２）に送り、ＳＣＰは、加入している対応の料金表に基づいて、第２加入者局（２０）の呼行程（接続の第２部分）および相互接続行程に対する、第２加入者局（２０）の課金を開始する。第２ネットワーク（２）のＧＳＭ運営業者は、第２加入者局（２０）に課金することを責務とし、相互接続行程の制御を担当する。第１加入者局（１０）は、ダイアルした仮想固定ネットワーク番号に基づいて、第１加入者局（１０）の呼行程（接続の第１部分）に対して、固定ネットワーク運営業者（第１ネットワーク１）によって課金される。
【０１１４】
以上で述べた仮想固定ネットワーク番号セッティングにおいて適用した場合の通話の流れの例は、第２加入者局を、前払い加入契約(prepaid subscription)に結合するセッティングにも適用することができる。この場合、ＳＮは、別のcorrelationIDを発生する代わりに、ステップ１５３において、ISUP_IAMメッセージ（第２情報）において、通常の前払いＧＳＭ加入者番号（第２加入者局２０）を新たなＣＤＰとして用いることができる。メッセージ１５４は、ＧＭＳＣによって受信され、ＧＭＳＣは、着信呼を通常の移動体着信呼(terminating call)のように扱い、トリガ判断基準を得るためにＨＬＲ（モジュール２３）に照会し始める。その後、ＧＭＳＣは対応するＳＣＰにトリガし（ステップ１５７）、ＳＣＰは前払いサービスおよび仮想固定ネットワーク・サービスを並列して扱う。
【０１１５】
図６において、どのようにすれば本発明を（業務）コミュニティ・セッティングに適用することができるかが例示されている。この実施形態の基本的な着想は、（業務）コミュニティの概念であり、例えば、個人電気通信システムにおける端末のユーザ、および移動体ネットワークにおける数個の特定移動局（ＭＳ）が、このグループの構成員間の通信に特殊な料金体系または特徴を備えたＦＭＣコミュニティ（固定−移動体集束）を形成するという意味である。このＦＭＣは、例えば、全員が同じ会社に所属する従業員（ユーザ）から成る。
【０１１６】
ユーザが通信を開始する際、ネットワーク１に接続されている端末１０（第１加入者局）を用いる。この例では、ネットワーク１は、ＳＩＰプロトコルをサポートするＩＰネットワークであり、モジュール１１はＶｏＩＰシステムであり、端末１０はＶｏＩＰ電話機であり、モジュール１２はＢ２ＢＵＡ（バック・ツー・バック・ユーザ・エージェント）である。端末１０およびＭＳ２０は、双方ともコミュニティの一部である。
【０１１７】
この例では、ネットワーク２（第２ネットワーク）は、ＧＳＭまたはＵＭＴＳ規格に準拠する移動体ネットワークであり、結合部４３．１を通じて固定ネットワークに接続されている。固定ネットワークは、この場合、中継ネットワークとしての役割を果たす。ネットワーク２（移動体ネットワーク）とネットワーク１（ＶｏＩＰネットワーク）との間では直接相互接続も可能であるが、この例では、双方のネットワーク間の接続は、中継ネットワーク(transit network)のような固定ネットワークによってサポートしなければならない。中継ネットワークおよびＶｏＩＰネットワーク（ネットワーク１）は、結合部４３．２および４３．３によって、モジュール９１を通じて結合されている。モジュール９１は、ＭＧＣ（メディア・ゲートウェイ・コントローラ）によって制御されるＭＧ（メディア・ゲートウェイ）およびＳＧ（シグナリング・ゲートウェイ）を内蔵する。
【０１１８】
第１ステップにおいて、端末１０において通信を開始するユーザは、モジュール１２に備えられているアプリケーションによる認証を受ける。この認証は、例えば、（ＶｏＩＰ）端末（１０）のＩＰアドレスに基づいて行われる。続いて、認証ステップにおいて、アプリケーションは、例えば、時刻、日付、通信ステータス、アドミニストレータによって与えられている具体的な権利等に応じて、ユーザに対してどのサービス装備(service feature)が活性化されているか検証する。認証されるユーザに対する具体的なサービス・データをチェックすることによって、権限付与が行われる。このデータは、モジュール１２の一部であるまたはこれによるアクセスが可能なデータベースにおいて調べなければならない。具体的なサービス・データは、具体的な移動体加入契約によって決定されるグローバル・タイプ・パラメータ、ＶｏＩＰシステムのアドミニストレータによって決定されるサービス・タイプ・パラメータ、あるいはユーザの代わりにアドミニストレータによって、第三者の代わりに、またはユーザ自身によって構成される、ユーザの個々のデータを含むことができる。
【０１１９】
この例では、少なくとも次のグローバル・タイプ・データが、この具体的なデータベースに格納されている。全てのＶｏＩＰ電話機のＩＰアドレスおよびＶｏＩＰアドレス、ならびに識別子「ｘｙｚ」を有するＦＭＣコミュニティに属する全ての移動局のアドレス（ＭＳＩＳＤＮ）。モジュール１２の対応物であるネットワーク２におけるモジュール２２では、ＦＭＣコミュニティ「ｘｙｚ」の全てのＭＳＩＳＤＮおよび全てのＶｏＩＰアドレス、ならびにモジュール１２のネットワーク・アドレスが、モジュール２２にとってアクセス可能なデータベースに格納されている。
【０１２０】
この例では、会社Ｅｐｌｕｓの番号「０２１１  ４４８  ４７８８」を有するＶｏＩＰ電話機（１０）のユーザが、ＭＳＩＳＤＮ「０１７７  １２３４５６７」を有する移動局（２０）と通信することを望んでいる。双方の番号は、同じＦＭＣコミュニティ「ｘｙｚ」に所属する。ＶｏＩＰ電話機（１０）のユーザは、番号「０１７７  １２３４５６７」をダイアルし、ＶｏＩＰ電話機は、ＳＩＰメッセージINVITEのヘッダの「TO:フィールド」にダイアルされた番号を入れ、SIP:02114484788@eplus.deを「FROM:フィールド」に入れて、ＳＩＰメッセージを形成する。ＶｏＩＰシステム（第１ネットワーク・ユニット１１）は、アドレスSIP:02114484788@eplus.deからの通信が、INVITEメッセージを送ることによって、モジュール１２に導かれるように構成されている。モジュール１２は、INVITEメッセージを受信し、ダイアルされた番号「０１７７  １２３４５６７」をこのINVITEメッセージの「TO:フィールド」からフェッチし、ＶｏＩＰ電話機（１０）の番号「０２１１  ４４８  ４７８８」を「FROM:フィールド」からフェッチし、ＶｏＩＰ電話機のＩＰアドレスを「VIA:フィールド」からフェッチする。モジュール１２は、そのデータベースに照会して、ＶｏＩＰ電話機１０のＩＰアドレスに基づいて、ユーザの認証をチェックする。認証に成功した後、モジュール１２は、番号が「０２１１４４８４７８８」のＶｏＩＰ電話機１０および番号が「０１７７  １２３４５６７」の移動局２０（第２加入者局）がＦＭＣコミュニティ「ｘｙｚ」に所属するか否かチェックし、所属するのであれば、これらがＦＭＣコミュニティ「ｘｙｚ」の機能を用いるために、どのような具体的な権利を有するのかチェックする。チェックを行って成功した後に、モジュール１２は、ＶｏＩＰ電話機１０からモジュール１２までのこの接続（接続の第１部分）を保持し、ＶｏＩＰ電話機１０のアドレスをヘッダの「FROM:フィールド」に入れ、ＭＳＩＳＤＮ「０１７７  １２３４５６７」を「TO:フィールド」に入れたINVITEメッセージから始めて、新たなセッション（一時的接続）を開始する。ゲートウェイ９１は、このINVITEメッセージを受信し、ＶｏＩＰセッションを終了する。受信したINVITEメッセージの中にあるパラメータに基づいて、ゲートウェイ９１はＩＡＭ（初期アドレス・メッセージ）を、ＳＳ７プロトコルのＩＳＵＰ（ＩＳＤＮユーザ部分）仕様に準拠するＦＳＣ（固定回線交換局−中継ネットワークのモジュール７７）に送ることによって、ゲートウェイ９１は、ＳＩＰメッセージ・ヘッダの「TO:フィールド」の内容、ISUP_IAMメッセージのＣＤＰ（被呼側番号）における移動局２０の番号「０１７７  １２３４５６７」、およびISUP_IAMメッセージのＣＧＰ（発呼側番号）におけるＶｏＩＰ電話機（１０）のアドレス「０２１１４４８４７８８」を変換する。中継ネットワークは、ISUP_IAMメッセージの中にあるアドレスを全く変化させずに、ISUP_IAMメッセージをネットワーク２に導く。移動体ネットワーク（ネットワーク２）のＧＭＳＣ（ゲートウェイ移動体交換局−第２ネットワーク・ユニット２１）は、ISUP_IAMメッセージを受信し、ISUP_ACM（アドレス完了メッセージ）で中継ネットワークに応答する。中継ネットワークは、このメッセージをゲートウェイ９１に導く。ゲートウェイ９１は、ＳＩＰメッセージの中にあるこの情報を変換し、ＳＩＰメッセージ「180Ringing」をモジュール１２に送る。並列して、ＧＭＳＣはＣＡＭＥＬ（カスタム化アプリケーション移動体ネットワーク改良ロジック）規格に準拠する終端ＢＣＳＭ（基本呼状態モデル：Basic Call State Model）の検出地点Detection Point "DT Terminating_attempt_authorised"においてトリガし、ＣＤＰ番号「０１７７  １２３４５６７」（移動局２０のＭＳＩＳＤＮ）およびＣＧＰ番号０２１１４４８４７８８（ＶｏＩＰ電話１０の番号）を含むＣＡＰ（CAMELアプリケーション部分）動作ＩＤＰ（初期検出地点）を用いて、ＧＭＳＣは呼パラメータをモジュール２２（この例では、モジュール２２はＳＣＰ（サービス制御点）である）に転送する。モジュール２２は、そのデータ・ベースに照会し、双方のアドレスをＦＭＣコミュニティ「ｘｙｚ」のメンバとして検証することによってＦＭＣコミュニティの呼を認識する。ＳＣＰ（モジュール２２）は、新たな接続（接続の第２部分）を開始し、CAP_ICA（発呼試行開始）動作を用いることによってＧＭＳＣに命令する。CAP_ICA動作は、ＣＤＰ番号「０１７７１２３４５６７」（移動局２０のＭＳＩＳＤＮ）およびＣＧＰ番号「０２１１４４８４７８８」（ＶｏＩＰ電話１０の番号）を含む。移動局２０（第２加入者局）のユーザがこの発呼を取ると、ＧＭＳＣはISUP_ANM（回答）メッセージを受信する。ＧＭＳＣはこのメッセージをマップし、ＳＣＰにCAP_ERB_oAnswer動作を送る。これに応答して、CAP_Release動作をＧＭＳＣに送ることによって、ＳＣＰは、ＧＭＳＣに一時的接続を解除するように命令する。ＧＭＳＣは、この動作をマップして、ISUP_Releaseメッセージを中継ネットワーク経由でゲートウェイ９１に送る。ゲートウェイ９１は、ISUP_Releaseメッセージをマップし、SIP_BYEメッセージをＶｏＩＰシステム（第１ネットワーク・ユニット１１）経由でモジュール１２に送る。一時的接続は、ネットワークにおいて課金処置が全くないまま解除される。何故なら、ISUP_ANMが一時的接続には形成されなかったからである。更に、ＳＣＰは、ＣＧＰ番号「０１７７  １２３４５６７」（移動局２０のＭＳＩＳＤＮ）およびＣＤＰ番号（「０２１１４４８４７８８」（ＶｏＩＰ電話機１０の番号）を有するCAP_ICA（発呼試行開始）動作を送ることによって、ＧＭＳＣに相互接続行程（相互接続）を確立するように命令する。ＧＭＳＣはこの動作をマップし、ISUP_IAMを中継ネットワークに送出する。このISUP_IAMメッセージにおいて、ＣＧＰ番号「０１７７  １２３４５６７」（移動局２０のＭＳＩＳＤＮ）、およびＣＤＰ番号（「０２１１４４８４７８８」（ＶｏＩＰ電話機１０の番号）が用いられる。中継ネットワークにおけるＦＳＣ（モジュール７７）は、このメッセージを受信し、発呼をゲートウェイ９１に導く。ゲートウェイ９１は、ＳＩＰ動作INVITEのヘッダの「FROM:フィールド」および「TO:フィールド」の中にあるＣＧＰおよびＣＤＰ番号のそれぞれを変換する。モジュール１２は、このINVITEメッセージを受信し、Correlation_ID（この場合、番号「０２１１４４８４７８８」（ＶｏＩＰ電話機１０の番号）が用いられる）を通じて、接続の第１部分と相互接続との間における正しい関係を認識する。モジュール１２は、接続の第１部��および相互接続をブリッジし、相互接続に対するINVITEメッセージに応答して、ＳＩＰメッセージ「２００ＯＫ」をゲートウェイ９１に送出する。ゲートウェイ９１は、ISUP_ANMメッセージにおけるこの情報を変換し、移動体ネットワーク（第２ネットワーク２）のＧＭＳＣ（第２ネットワーク・ユニット２１）が最終的にISUP_ANMメッセージを受信する。ＧＭＳＣはこのメッセージをマップし、ＳＣＰにCAP_ERB_O_Answer（イベント報告ＢＣＳＭ）動作を送る。これに応答して、ＳＣＰはCAP_MoveLegおよびCAP_ConntinueWithArguments動作を送り、ＧＭＳＣ２１に、接続の第２部分（ＧＭＳＣから移動局２０まで）を相互接続（ＦＳＣ（モジュール７７）およびゲートウェイ９１を経由してＧＭＳＣからモジュール１２まで）をブリッジするように命令する。この時点で、ＶｏＩＰ電話機１０と移動局２０との間に、完全な二点間接続が確立する。ＧＭＳＣが相互接続に対するISUP_ANM（回答）メッセージを受信すると、ＧＭＳＣは移動体ネットワーク（ネットワーク２）と中継ネットワークとの間の相互接続（結合部４３．１に沿った「折り返し接続」）に対する課金を開始する。この課金記録に基づいて、このＦＭＣコミュニティ・サービスを提供したサービス・プロバイダは、このＦＭＣコミュニティ・サービスに加入している加入者、例えば、会社に、固定ネットワークから移動体ネットワークへの発呼に対する（規定）着信料(termination fee)に依存せず、課金することができる。
【０１２１】
図７は、別の使用事例を示し、この場合、どのようにすれば、二重モード(dual mode)・ハンドセットを第２加入者局として用いて、本発明を応用することができるかを示す。尚、ネットワーク２（第２ネットワーク）は、ＧＳＭまたはＵＭＴＳ規格に準拠した移動体ネットワークであり、モジュール２２（第２モジュール）を用いて、本発明をサポートする特定の用途を提供するように拡張していると仮定する。ネットワーク１（第１ネットワーク）は、固定ネットワークであり、本発明のサポートのために具体的な機能性を内蔵していない。更に別のネットワークが関与しており、これはＶｏＩＰ（ボイス・オーバー・インターネット・プロトコル）運営業者のＶｏＩＰネットワークであり、ＶｏＩＰシステム（モジュール３３）に実装した完全なＶｏＩＰアーキテクチャを内蔵する。このＶｏＩＰネットワークは、モジュール１２（第１モジュール）を含み、モジュール１２は、結合部６１を通じて、移動体ネットワークにおけるモジュール２２と相互作用を行う。
【０１２２】
加入者は、いわゆる二重モード・ハンドセット（第２加入者局２０）を用いる。これは、ＧＳＭ／ＵＭＴＳネットワークへのアクセスだけでなく、モジュール９２によって提供され、インターネットまたはＶＰＮ（７５）を通じて接続するＷＬＡＮ（ワイヤレス・ローカル・エリア・ネットワーク）へのアクセスもサポートする。移動体ネットワーク（２）は、音声およびデータ・サービスのような、公衆通信サービスのサポートのために、結合部４３を通じて固定ネットワーク（１）に接続する。
【０１２３】
この例では、移動体ネットワーク（２）とＶｏＩＰネットワークとの間には、この種のサービスのための直接的な接続はない。これらのネットワーク間の通信は、中継ネットワークとして機能する固定ネットワーク（１）によってサポートされる。モジュール１２とモジュール２２との間における専用データ転送のためにのみ、結合部６１を導入する。固定ネットワーク（１）とＶｏＩＰネットワークとの間の接続には、特定のゲートウェイ（モジュール９１）が必要となり、これは、ＭＧ（メディア・ゲートウェイ）と、ＭＧＣ（メディア・ゲートウェイ・コントローラ）によって制御するＳＧ（シグナリング・ゲートウェイ）とを備えている。ＭＧＣは、ＩＰエリアにおいて電気通信エリアからの通信のパラメータを変換し、その逆も行う。
【０１２４】
二重モード・ハンドセット（第２加入者局）のユーザ（加入者）は、通信サービスに対する料金体系が異なる、異なる技術に基づく２つの異なるネットワークが提供するサービスにアクセスするためには、１台の電話だけがあればよい。この加入者は、１つの番号だけ（この１つの番号、通例、固定ネット番号に発呼される）を彼の通信相手に伝達する。移動体ネットワーク運営業者とＶｏＩＰ運営業者との間に協力が必要となる。ＶｏＩＰ運営業者および移動体運営業者の双方は、単一番号サービスに応用した本発明から利益を得ることができる。一見すると、ＶｏＩＰ運営業者にとっての利点の方が明らかである。何故なら、彼の方が顧客に高い優先度で応対し、トラフィックを引き寄せるからである。対照的に、移動体ネットワーク運営業者は、顧客が二重モード・ハンドセットのＶｏＩＰ部分をできるだけ多く用いるので、トラフィックを失う可能性がある。しかしながら、多くの状況では、本発明を実施することは移動体ネットワーク運営業者にとっても有利であると言うことができる。例えば、移動体運営業者が市場部門「業務顧客」において地位が弱い場合、ＶｏＩＰ運営業者はこの分野では地位が非常に強い。したがって、移動体ネットワーク運営業者は、新たな業務顧客をＶｏＩＰプロバイダの顧客基盤から低い獲得コストで容易に獲得するであろう。移動体ネットワーク運営業者は、既存のトラフィックの共食いをせずに、このサービスに対する魅力的な価格を、新たに獲得した移動体顧客に提供することができる。
【０１２５】
以上の例について、以下に詳細に説明する。
二重モード・ハンドセット（２０）のＩＰ部分は、ＵＡ（ユーザ・エージェント）として作用し、例えば、インターネットまたはＶＰＮ（７５）を通じてＶｏＩＰシステム（３３）に接続されているモジュール９２として図示されている、８０２．１１ｂアクセス・ポイントによって提供されるホット・スポット（結合部７６）にＷＬＡＮを通じてアクセスすることができる。この接続を通じて、二重モード・ハンドセットのＩＰ部分は、ＶｏＩＰシステム３３との相互作用により、ＳＩＰ（セッション開始プロトコル）に対するＩＥＴＦ（インターネット・エンジニアリング・タスク・フォース）規格にしたがって、セッションを登録、確立し、セッションを終了することができる。SIPメッセージREGISTERによって、二重モード・ハンドセットのＩＰ部分は、実際のアドレスを、ＶｏＩＰシステム（３３）の一部としての登録サーバに転送することができる。その結果、ＶｏＩＰシステム（３３）は、常に、二重モード・ハンドセット（２０）のＩＰ部分が登録されたか否かについて情報を有することができる。電話番号が「０２１１  ４４８  ４７８８」の電話機１０（第１加入者局）のユーザが二重モード・ハンドセット（２０）のユーザと通信したい場合、例えば、ＶｏＩＰネットワークのＶｏＩＰ運営業者の固定番号の番号範囲に属する１つの番号「０２１１  ９９８８７７７」をダイアルすることによって、通信を開始する。これらの番号、ＣＤＰ（被呼側番号）としての「単一番号サービス」番号「０２１１  ９９８８７７７」およびＣＧＰ（発呼側番号）としての電話機１０の番号「０２１１  ４４８  ４７８８」は、SET UPメッセージによって、ＤＳＳ１（ディジタル加入者シグナリング・プロトコル番号１）プロトコルにおいて標準化されたものとして、図７において第１ネットワーク・ユニット１１として図示したＦＳＣ（固定回線交換局）に転送される。ＦＳＣは、ＣＤＰ番号を分析することによって、宛先がＶｏＩＰネットワーク内に位置することを認識し、ＳＳ７（シグナリング・システム番号７）規格のＩＳＵＰ（ＩＳＤＮユーザ部分）プロトコルのＩＡＭ（初期アドレス・メッセージ）を用いて、結合部５１．１を通じてゲートウェイ９１までの接続を確立する。このISUP_IAMメッセージは、DSS1_Set Upメッセージによって与えられたＣＤＰ番号およびＣＧＰ番号を用いる。ゲートウェイ（９１）は、ＳＩＰ（セッション開始プロトコル）規格のINVITEメッセージにおけるこの情報を変換し、これによって、ＣＤＰ番号（単一番号「０２１１  ９９８８７７７」）をINVITEメッセージの「TO:フィールド」に挿入し、ＣＧＰ番号（電話機１０の番号「０２１１  ４４８  ４７８８」）を「FROM:フィールド」に挿入する。ゲートウェイ９１は、INVITEメッセージをＶｏＩＰシステム（モジュール３３）に結合部５１．２を通じて送る。前述のように、ＶｏＩＰシステム（３３）は、常に、二重モード・ハンドセットのＩＰ部分が登録されているか否かについての情報を有する。二重モード・ハンドセットのＩＰ部分のステータスが「登録済み」である場合、セッションは、結合部７５および７６を通じて二重モード・ハンドセットのＩＰ部分に転送される。二重モード・ハンドセットのＩＰ部分が登録されていない場合、ＶｏＩ���システム（３３）はセッションをモジュール１２に結合部５１．３を通じて導出し直す。このモジュール（１２）はＢ２ＢＵＡ（バック・ツー・バック・ユーザ・エージェント）として作用し、INVITEメッセージおよびＲＴＰ（リアル・タイム・プロトコル）ストリームを終端させる。ＲＴＰストリームは、セッションのペイロードを収容する。モジュール（１２）は、INVITEメッセージの「TO:フィールド」（単一番号「０２１１  ９９８８７７７」）の内容によって、単一番号サービスを認識し、ＳＩＰメッセージ「180Ringing」で応答し、このセッションを接続の第１部分として保持する。ＳＩＰメッセージ「180Ringing」はゲートウェイ９１によって受信され、ゲートウェイ９１は「180Ringing」メッセージをISUP_ACM（アドレス完了メッセージ）において変換し、ＦＳＣ（１１）に通知する。
【０１２６】
次のステップにおいて、モジュール１２は任意のデータ・プロトコルを用いて、発呼者の番号にパラメータ「Ａ：０２１１  ４４８  ４７８８」、二重モード・ハンドセットのＧＳＭ部分のアドレスにパラメータ「Ｂ：０１７７  １２３４５６７」、そして単一番号にパラメータ「Ｃ：０２１１  ９９８８７７７」を用いて、結合部６１を通じてモジュール２２への専用データ転送を開始する。モジュール２２は、ＣＡＭＥＬ（カスタム化アプリケーション移動体ネットワーク改良ロジック）規格に準拠するＳＣＰ（サービス制御地点）であり、結合部５２を通じて移動体ネットワーク（ネットワーク２）のＭＳＣ（移動体交換局）（第２ネットワーク・ユニット２１）に接続される。ＳＣＰ（モジュール２２）は、このデータを受信してチェックし、CAP_ICA（ＣＡＭＥＬアプリケーション部分、発呼試行開始）動作を結合部５２を通じてＭＳＣに送る。CAP_ICA動作は、ＤＲＡ（宛先ルーティング・アドレス）、番号「０１７７  １２３４５６７」（二重モード・ハンドセットのＧＳＭ部分のＭＳＩＳＤＮ）、およびＣＧＰ番号、即ち、番号「０２１１  ４４８  ４７８８「（電話機１０のアドレス、発呼者の番号）を収容する。
【０１２７】
ＭＳＣ（第２ネットワークユニット２１）は、このCAP_ICA動作を受信し、ISUP_IAMを用いて、番号「０１７７  １２３４５６７」をＣＤＰ（被呼側番号）とし、番号「０２１１  ４４８  ４７８８」をＣＧＰ（発呼側番号）として、ＭＳＣと二重モード・ハンドセット（２０）のＧＳＭ部分との間に、結合部４２を通じた新たな接続（接続の第２部分）を確立する。二重モード・ハンドセット（２０）のユーザが発呼を取ると、ＭＳＣはISUP_ANM（回答）メッセージを受信する。ＭＳＣは、宛先地点（ＤＰ）において「O_Answer」をトリガし、CAP_ERB_answer動作によってＳＣＰに通知する。これに応答して、ＳＣＰは、CAP_ICA（発呼試行開始）動作をＭＳＣ（２１）に送ることによって、ＣＧＰ番号を「０１７７  １２３４５６７」とし、DestinationRoutingAddress番号を「０２１１  ９９８８７７７」（単一番号の番号）として、ＭＳＣ（２１）に、ＭＳＣ（２１）とモジュール１２との間に、ＦＳＣ（モジュール１１）、ゲートウェイ９１、およびＶｏＩＰシステム３３を通じた相互接続を確立するように命令する。続いて、ＭＳＣ（２１）はこの受信した動作をマップし、ＣＧＰ番号「０１７７  １２３４５６７」（二重モード・ハンドセット２０のＧＳＭ部分のＭＳＩＳＤＮ）およびＣＤＰ番号「０２１１  ９９８８７７７」（単一番号の番号）を有するISUP_IAMをＦＳＣ（モジュール１１）に送出する。ＦＳＣ（モジュール１１）は、このメッセージを受信し、発呼をゲートウェイ９１に導く。ゲートウェイ９１は、ＣＧＰ番号およびＣＤＰ番号を、それぞれ、ＳＩＰメッセージINVITEのヘッダの「FROM:フィールド」および「TO:フィールド」に変換する。モジュール１２は、このINVITEメッセージを受信し、Correlation_ID（この場合、番号「０２１１  ９９８８７７７」、単一番号の番号）によって、接続の第１部分と相互接続との間の正しい関係を認識する。モジュール１２は、接続の第１部分および相互接続を強化し、INVITEメッセージに対して、ゲートウェイ９１へのＳＩＰメッセージ「２００ＯＫ」で応答する。次いで、ゲートウェイ９１は、この情報をISUP_ANM（回答）メッセージにおいて変換し、移動体ネットワーク（第２ネットワーク）のＭＳＣ（２１）が最終的にこのメッセージを受信する。ＭＳＣは、検出地点ＤＰにおいてO_Answerをトリガし、CAP_ERB_O_Answer（イベント報告ＢＳＣＭ）動作を送ることによってＳＣＰに通知する。これに応答して、ＳＣＰはCAP_MoveLegおよびCAP_ContinueWithArguments動作を送り、ＭＳＣに、接続の第２部分（ＭＳＣから二重モード・ハンドセット２０のＧＳＭ部分まで）を相互接続（ＭＳＣからＦＳＣ（モジュール１１）ゲートウェイ９１、およびＶｏＩＰシステム３３を通じてモジュール１２まで）とブリッジするように命令する。この時点で、電話機（１０）と二重モード・ハンドセット（２０）のＧＳＭ部分との間において、完全な二点間接続が確立する。
【０１２８】
ＭＳＣが相互接続に対するISUP_ANM（回答）メッセージを受信すると、ＭＳＣは、移動体ネットワーク（第２ネットワーク２）と固定ネットワーク（第１ネットワーク１）との間における相互接続（結合４３）に対する課金記録を書き始める。これらの課金記録に基づいて、この「単一番号」サービスを提供したサービス・プロバイダは、固定ネットワークから移動体ネットワークへの発呼に対する（規定）着信料(termination fee)に依存せずに、このサービスに加入した加入者に課金することができる。
【０１２９】
以上、図面および説明において本発明について詳細に図示および説明したが、これらの図面およびこの説明は、限定的開示ではなく、例示的開示または一例としての開示であると見なすこととする。本発明は、説明した実施形態に限定されるのではない。開示した実施形態に対するその他の変形も、当業者によって理解し実施することができる。請求項において、「備えている」(comprising)という単語は、他の要素やステップを除外せず、不定冠詞「ａ」または「ａｎ」は複数を除外しないこととする。１つのプロセッサまたはその他の１つのユニットが、請求項に明記する数個の項目の機能を実現することもできる。ある種の特徴(feature)が相互に異なる従属請求項に明記されているという事実だけでは、これら熟慮したこと(measured)の組み合わせを.有利に用いることができないことを示すことにはならない。コンピュータ・プログラム生産物は、他のハードウェアと共にまたはその一部として供給される光記憶媒体またはソリッド・ステート媒体のような、適した媒体上に格納／配布することができるが、インターネットあるいはその他の有線またはワイヤレス電気通信システムを通じてというように、他の形態で配布することもできる。請求項におけるいずれの参照符号も、範囲を限定するように解釈してはならない。
【図１】
0005611037.tif 000002
【図２】
0005611037.tif 000003
【図３】
0005611037.tif 000004
【図４】
0005611037.tif 000005
【図５】
0005611037.tif 000006
【図６】
0005611037.tif 000007
【図７】
0005611037.tif 000008